(57)【要約】  Ｄ２Ｄをサポートする無線通信システムにおけるユーザ装置であって、複数のセルが含まれる所定の領域単位で管理されるＤ２Ｄ用の無線パラメータを含む無線パラメータ情報を基地局から取得する取得部と、前記所定の領域内で、前記Ｄ２Ｄ用の無線パラメータを用いてＤ２Ｄ信号の送受信を行う通信部と、を有するユーザ装置を提供する。
2017051740.tif 000002
【特許請求の範囲】
【請求項１】
Ｄ２Ｄをサポートする無線通信システムにおけるユーザ装置であって、
複数のセルが含まれる所定の領域単位で管理されるＤ２Ｄ用の無線パラメータを含む無線パラメータ情報を基地局から取得する取得部と、
前記所定の領域内で、前記Ｄ２Ｄ用の無線パラメータを用いてＤ２Ｄ信号の送受信を行う通信部と、
を有するユーザ装置。
【請求項２】
前記通信部は、前記Ｄ２Ｄ用の無線パラメータに含まれる、Ｄ２Ｄ信号の送信に用いるための無線リソースを特定するための情報に基づいて無線リソースを特定し、特定した無線リソースを用いてＤ２Ｄ信号を送信する、請求項１に記載のユーザ装置。
【請求項３】
Ｄ２Ｄ信号の送信に用いるための無線リソースの割当てを要求する要求信号であって、当該ユーザ装置の位置を示す情報を含む要求信号を前記基地局に送信する要求部、を有し、
前記取得部は、前記基地局から、当該ユーザ装置に割当てられたＤ２Ｄ信号の送信に用いるための無線リソースを示す無線リソース割当て情報を取得し、
前記通信部は、当該ユーザ装置に割当てられたＤ２Ｄ信号の送信に用いるための無線リソースを用いてＤ２Ｄ信号を送信する、請求項１に記載のユーザ装置。
【請求項４】
前記取得部は、前記無線リソース割当て情報と共に、当該ユーザ装置とは異なる他のユーザ装置を示すＩＤを取得し、
前記要求部は、前記通信部により受信されたＤ２Ｄ信号に前記他のユーザ装置を示すＩＤが含まれている場合、当該ユーザ装置に割当てられたＤ２Ｄ信号の送信に用いるための無線リソースの変更を要求する要求信号を前記基地局に送信する、請求項３に記載のユーザ装置。
【請求項５】
前記取得部は、ＲＲＣがＩｄｌｅであるか否かに関わらず、前記無線パラメータ情報を通知するために用いられる特定のサブフレームをモニタし、前記特定のサブフレームに当該ユーザ装置に割当てられた識別子が含まれていることを検出した場合に、前記特定のサブフレームに含まれている前記無線パラメータ情報を取得する、請求項１乃至４のいずれか一項に記載のユーザ装置。
【請求項６】
前記所定の領域は、緯度及び経度で示される領域、又は、トラッキングエリアで示される領域である、請求項１乃至５のいずれか一項に記載のユーザ装置。
【請求項７】
Ｄ２Ｄをサポートする無線通信システムにおける基地局であって、
複数のセルが含まれる所定の領域単位で管理されるＤ２Ｄ用の無線パラメータを含む無線パラメータ情報を管理する管理部と、
前記無線パラメータ情報をユーザ装置に送信する送信部と、
を有する基地局。
【請求項８】
Ｄ２Ｄ信号を受信する受信部、を有し、
前記送信部は、前記受信部でＤ２Ｄ用の無線パラメータを要求することを示すＤ２Ｄ信号が受信された場合に、前記無線パラメータ情報をユーザ装置に送信する、請求項７に記載の基地局。
【請求項９】
Ｄ２Ｄをサポートする無線通信システムにおけるユーザ装置が行う通信方法であって、
複数のセルが含まれる所定の領域単位で管理されるＤ２Ｄ用の無線パラメータを含む無線パラメータ情報を基地局から取得する取得ステップと、
前記所定の領域内で、前記Ｄ２Ｄ用の無線パラメータを用いてＤ２Ｄ信号の送受信を行う通信ステップと、
を有する通信方法。
【請求項１０】
Ｄ２Ｄをサポートする無線通信システムにおける基地局が行う通知方法であって、
複数のセルが含まれる所定の領域単位で管理されるＤ２Ｄ用の無線パラメータを含む無線パラメータ情報を管理する管理ステップと、
前記無線パラメータ情報をユーザ装置に送信する送信ステップと、
を有する通知方法。
【発明の詳細な説明】
【技術分野】
【０００１】
本発明は、ユーザ装置、基地局、通信方法及び通知方法に関する。
【背景技術】
【０００２】
ＬＴＥ（Long Term Evolution）及びＬＴＥの後継システム（例えば、ＬＴＥ−Ａ（LTE Advanced）、ＦＲＡ（Future Radio Access）、４Ｇなどともいう）では、ユーザ端末同士が無線基地局を介さないで直接通信を行うＤ２Ｄ（Device to Device）技術が検討されている（例えば、非特許文献１）。【０００３】
Ｄ２Ｄは、ユーザ装置と基地局との間のトラヒックを軽減したり、災害時などに基地局が通信不能になった場合でもユーザ装置間の通信を可能とする。【０００４】
Ｄ２Ｄは、通信可能な他のユーザ端末を見つけ出すためのＤ２Ｄディスカバリ（D2D discovery、Ｄ２Ｄ発見ともいう）と、端末間で直接通信するためのＤ２Ｄコミュニケーション（D2D direct communication、Ｄ２Ｄ通信、端末間直接通信などともいう）と、に大別される。以下では、Ｄ２Ｄコミュニケーション、Ｄ２Ｄディスカバリなどを特に区別しないときは、単にＤ２Ｄと呼ぶ。また、Ｄ２Ｄで送受信される信号を、Ｄ２Ｄ信号と呼ぶ。【０００５】
また、３ＧＰＰ（3rd Generation Partnership Project）では、Ｄ２Ｄ機能を拡張することでＶ２Ｘを実現することが検討されている。ここで、Ｖ２Ｘとは、ＩＴＳ（Intelligent Transport Systems）の一部であり、図１に示すように、自動車と自動車との間で行われる通信形態を意味するＶ２Ｖ（Vehicle to Vehicle）、自動車と道路脇に設置される路側機（ＲＳＵ：Road-Side Unit）との間で行われる通信形態を意味するＶ２Ｉ（Vehicle to Infrastructure）、自動車とドライバーのモバイル端末との間で行われる通信形態を意味するＶ２Ｎ（Vehicle to Nomadic device）、及び、自動車と歩行者のモバイル端末との間で行われる通信形態を意味するＶ２Ｐ（Vehicle to Pedestrian）の総称である。
【先行技術文献】
【非特許文献】
【０００６】
【非特許文献１】"Key drivers for LTE success:Services Evolution"、２０１１年９月、3GPP、インターネットURL：http://www.3gpp.org/ftp/Information/presentations/presentations_2011/2011_09_LTE_Asia/2011_LTE-Asia_3GPP_Service_evolution.pdf
【発明の概要】
【発明が解決しようとする課題】
【０００７】
従来のＤ２Ｄでは、ユーザ装置は、基地局から送信される報知情報及びＲＲＣ信号を介して取得したＤ２Ｄ用の無線パラメータを用いてＤ２Ｄ信号の送受信を行う。【０００８】
ここで、Ｖ２Ｘでは、ユーザ装置は、無線ネットワークを高速に移動しつつＤ２Ｄ信号の送受信を行うことが想定されている。例えば、図２に示すように、ユーザ装置は、カバレッジ外、又は、複数の基地局及びＲＳＵが形成するセル間を、ハンドオーバー及びＲＲＣ状態（ＲＲＣ  Ｉｄｌｅ又はｃｏｎｎｅｃｔｅｄ）の切替えを行いながら移動することが想定される。【０００９】
このような無線ネットワーク環境では、ユーザ装置は、セルを跨ぐ度にＤ２Ｄ用の無線パラメータを取得して更新する必要がある。また、ユーザ装置のＲＲＣ状態がＩｄｌｅの場合、基地局からユーザ装置に対して無線パラメータを通知することができず、一旦ページングを行ってユーザ装置のＲＲＣ状態をｃｏｎｎｅｃｔｅｄに遷移させる必要がある。すなわち、ユーザ装置が高速に移動するＶ２Ｘにおいて、従来のＤ２Ｄと同様の方法でＤ２Ｄ用の無線パラメータをユーザ装置に通知することは、通知方法が煩雑であり効率的ではない。なお、上記の問題はＶ２Ｘに限らずＤ２Ｄ全般で発生し得る。【００１０】
開示の技術は上記に鑑みてなされたものであって、Ｄ２Ｄ用の無線パラメータを効率的にユーザ装置に通知することを可能にする技術を提供することを目的とする。
【課題を解決するための手段】
【００１１】
開示の技術のユーザ装置ＵＥは、Ｄ２Ｄをサポートする無線通信システムにおけるユーザ装置であって、複数のセルが含まれる所定の領域単位で管理されるＤ２Ｄ用の無線パラメータを含む無線パラメータ情報を基地局から取得する取得部と、前記所定の領域内で、前記Ｄ２Ｄ用の無線パラメータを用いてＤ２Ｄ信号の送受信を行う通信部と、を有する。
【発明の効果】
【００１２】
開示の技術によれば、Ｄ２Ｄ用の無線パラメータを効率的にユーザ装置に通知することを可能にする技術が提供される。
【図面の簡単な説明】
【００１３】
【図１】Ｖ２Ｘを説明するための図である。
【図２】課題を説明するための図である。
【図３Ａ】Ｄ２Ｄ通信を説明するための図である。
【図３Ｂ】Ｄ２Ｄ通信を説明するための図である。
【図４】Ｄ２Ｄ通信に用いられるＭＡＣ  ＰＤＵを説明するための図である。
【図５】ＳＬ−ＳＣＨ  ｓｕｂｈｅａｄｅｒのフォーマットを説明するための図である。
【図６】実施の形態に係る無線通信システムの構成例を示す図である。
【図７Ａ】Ｄ２Ｄ用の無線パラメータが管理される領域の定義方法を説明するための図である。
【図７Ｂ】Ｄ２Ｄ用の無線パラメータが管理される領域の定義方法を説明するための図である。
【図８Ａ】Ｄ２Ｄ用無線パラメータ情報（領域単位）の構成例を説明するための図である。
【図８Ｂ】Ｄ２Ｄ用無線パラメータ情報（複数領域）の構成例を説明するための図である。
【図８Ｃ】Ｄ２Ｄ用無線パラメータ情報（全領域）の構成例を説明するための図である。
【図９】Ｄ２Ｄ用無線パラメータ情報に含まれる無線パラメータの一例を示す図である。
【図１０】Ｄ２Ｄ用無線パラメータ情報をユーザ装置に通知する際の処理手順（その１）を示すシーケンス図である。
【図１１】Ｄ２Ｄ用無線パラメータ情報をユーザ装置に通知する際の処理手順（その２）を示すシーケンス図である。
【図１２】Ｄ２Ｄ用無線パラメータ情報をユーザ装置に通知する際の処理手順（その３）を示すシーケンス図である。
【図１３】Ｄ２Ｄ用無線パラメータ情報をユーザ装置に通知する際の処理手順（その４）を示すシーケンス図である。
【図１４】Ｄ２Ｄ用無線パラメータ情報をユーザ装置に通知する際の処理手順（その５）を示すシーケンス図である。
【図１５Ａ】複数の領域に係るＤ２Ｄ用無線パラメータ情報をまとめてユーザ装置に通知する方法を説明するための図である。
【図１５Ｂ】複数の領域に係るＤ２Ｄ用無線パラメータ情報をまとめてユーザ装置に通知する方法を説明するための図である。
【図１６Ａ】無線パラメータの切替えタイミングの一例を説明するための図である。
【図１６Ｂ】無線パラメータの切替えタイミングの一例を説明するための図である。
【図１７Ａ】ＲＲＣ  ＩＤＬＥのユーザ装置に無線パラメータを通知する方法を説明するための図である。
【図１７Ｂ】ＲＲＣ  ＩＤＬＥのユーザ装置に無線パラメータを通知する方法を説明するための図である。
【図１８Ａ】ＲＲＣ  ＩＤＬＥのユーザ装置に無線パラメータを通知する方法を説明するための図である。
【図１８Ｂ】ＲＲＣ  ＩＤＬＥのユーザ装置に無線パラメータを通知する方法を説明するための図である。
【図１９】ユーザ装置で無線リソースを特定する方法を説明するための図である。
【図２０Ａ】ユーザ装置で無線リソースを特定する方法を説明するための図である。
【図２０Ｂ】ユーザ装置で無線リソースを特定する方法を説明するための図である。
【図２１】無線リソースの割当てを行う際の処理手順を説明するためのシーケンス図である。
【図２２】割当てられた無線リソースの衝突を回避する際の処理手順（その１）を説明するためのシーケンス図である。
【図２３】割当てられた無線リソースの衝突を回避する際の処理手順（その２）を説明するためのシーケンス図である。
【図２４】従来のＲＡ手順を示す図である。
【図２５】Ｄ２Ｄ信号を用いて無線パラメータ要求を行う際の処理手順を示すシーケンス図である。
【図２６】実施の形態に係るユーザ装置のハードウェア構成例を示す図である。
【図２７】実施の形態に係る基地局のハードウェア構成例を示す図である。
【図２８】実施の形態に係るコアネットワーク装置のハードウェア構成例を示す図である。
【図２９】実施の形態に係るユーザ装置の機能構成例を示す図である。
【図３０】実施の形態に係る基地局の機能構成例を示す図である。
【図３１】実施の形態に係るコアネットワーク装置の機能構成例を示す図である。
【発明を実施するための形態】
【００１４】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１５】
また、本実施の形態は、主にＶ２Ｘを対象としているが、本実施の形態に係る技術は、Ｖ２Ｘに限らず、広くＤ２Ｄ全般に適用可能である。また、「Ｄ２Ｄ」はその意味としてＶ２Ｘを含むものである。
【００１６】
また、「Ｄ２Ｄ」には、ユーザ装置ＵＥ間でＤ２Ｄ信号を送受信する処理手順のみならず、Ｄ２Ｄ信号を基地局が受信（モニタ）する処理手順、及び、ＲＲＣ  Ｉｄｌｅの場合若しくは基地局ｅＮＢとコネクションを確立していない場合に、ユーザ装置ＵＥが基地局ｅＮＢに上り信号を送信する処理手順を含む。
【００１７】
＜Ｄ２Ｄの概要＞
まず、ＬＴＥで規定されているＤ２Ｄの概要について説明する。Ｄ２Ｄ通信では、ユーザ装置ＵＥから基地局ｅＮＢへの上り信号送信のリソースとして既に規定されている上りリソースの一部が利用される。  「Ｄｉｓｃｏｖｅｒｙ」については、図３Ａに示すように、Ｄｉｓｃｏｖｅｒｙ  ｐｅｒｉｏｄ毎に、Ｄｉｓｃｏｖｅｒｙメッセージ用のリソースプールが確保され、ユーザ装置ＵＥａはそのリソースプール内でＤｉｓｃｏｖｅｒｙメッセージを送信する。より詳細にはＴｙｐｅ１、Ｔｙｐｅ２ｂがある。Ｔｙｐｅ１では、ユーザ装置ＵＥａが自律的にリソースプールから送信リソースを選択する。Ｔｙｐｅ２ｂでは、上位レイヤシグナリング（例えばＲＲＣ信号）により準静的なリソースが割り当てられる。
【００１８】
「Ｃｏｍｍｕｎｉｃａｔｉｏｎ」についても、図３Ｂに示すように、Ｃｏｎｔｒｏｌ／Ｄａｔａ送信用リソースプールが周期的に確保される。送信側のユーザ装置ＵＥａはＣｏｎｔｒｏｌリソースプールから選択されたリソースでＳＣＩ（Sidelink Control Information）によりＤａｔａ送信用リソース等を受信側のユーザ装置ＵＥｂに通知し、当該Ｄａｔａ送信用リソースでＤａｔａを送信する。「Ｃｏｍｍｕｎｉｃａｔｉｏｎ」について、より詳細には、Ｍｏｄｅ１とＭｏｄｅ２がある。Ｍｏｄｅ１では、基地局ｅＮＢからユーザ装置ＵＥに送られる（Ｅ）ＰＤＣＣＨによりダイナミックにリソースが割り当てられる。Ｍｏｄｅ２では、ユーザ装置ＵＥａはＣｏｎｔｒｏｌ／Ｄａｔａ送信用リソースプールから自律的に送信リソースを選択する。リソースプールについては、ＳＩＢで通知されたり、予め定義されたものが使用される。
【００１９】
ＬＴＥにおいて、「Ｄｉｓｃｏｖｅｒｙ」に用いられるチャネルはＰＳＤＣＨ（Physical Sidelink Discovery Channel）と称され、「Ｃｏｍｍｕｎｉｃａｔｉｏｎ」におけるＳＣＩ等の制御情報を送信するチャネルはＰＳＣＣＨ（Physical Sidelink Control Channel）と称され、データを送信するチャネルはＰＳＳＣＨ（Physical Sidelink Shared Channel）と称される。
【００２０】
Ｄ２Ｄ通信に用いられるＭＡＣ（Medium Access Control）ＰＤＵ（Protocol Data Unit）は、図４に示すように、少なくともＭＡＣ  ｈｅａｄｅｒ、ＭＡＣ  Ｃｏｎｔｒｏｌ  ｅｌｅｍｅｎｔ、ＭＡＣ  ＳＤＵ（Service Data Unit）、Ｐａｄｄｉｎｇで構成される。ＭＡＣ  ＰＤＵはその他の情報を含んでも良い。ＭＡＣ  ｈｅａｄｅｒは、１つのＳＬ−ＳＣＨ（Sidelink Shared Channel）ｓｕｂｈｅａｄｅｒと、１つ以上のＭＡＣ  ＰＤＵ  ｓｕｂｈｅａｄｅｒで構成される。
【００２１】
図５に示すように、ＳＬ−ＳＣＨ ｓｕｂｈｅａｄｅｒは、ＭＡＣ  ＰＤＵフォーマットバージョン（Ｖ）、送信元情報（ＳＲＣ）、送信先情報（ＤＳＴ）、Ｒｅｓｅｒｖｅｄ  ｂｉｔ（Ｒ）等で構成される。Ｖは、ＳＬ−ＳＣＨ ｓｕｂｈｅａｄｅｒの先頭に割り当てられ、ユーザ装置ＵＥが用いるＭＡＣ  ＰＤＵフォーマットバージョンを示す。送信元情報には、送信元に関する情報が設定される。送信元情報には、ＰｒｏＳｅ  ＵＥ  ＩＤに関する識別子が設定されてもよい。送信先情報には、送信先に関する情報が設定される。送信先情報には、送信先のＰｒｏＳｅ  Ｌａｙｅｒ−２  Ｇｒｏｕｐ  ＩＤに関する情報が設定されてもよい。
【００２２】
また、Ｄ２Ｄでは、主に基地局ｅＮＢのカバレッジ外に存在するユーザ装置ＵＥ間で同期を取るために用いられる同期信号が規定されており、ＰＳＳＳ（Primary Sildelink Synchronization Signal）及びＳＳＳＳ（Secondary Sildelink Synchronization Signal）と称される。また、主に基地局ｅＮＢのカバレッジ外に存在するユーザ装置ＵＥにシステム情報等を通知するために用いられるチャネルは、ＰＳＢＣＨ（Physical Sidelink Broadcast Control Channel）と称される。
【００２３】
＜システム構成＞
図６は、実施の形態に係る無線通信システムの構成例を示す図である。図６に示すように、本実施の形態に係る無線通信システムは、ＣＮ（コアネットワーク）装置１０と、基地局ｅＮＢと、ユーザ装置ＵＥとを有する。
【００２４】
ユーザ装置ＵＥは、Ｖ２Ｘで規定されている自動車、ドライバーのモバイル端末、及び、歩行者のモバイル端末を含み、セルラー通信の機能及びＤ２Ｄ通信機能を有する。
【００２５】
基地局ｅＮＢは、セルラー通信の機能を有し、ユーザ装置ＵＥと通信を行う。本実施の形態では、基地局ｅＮＢは、Ｄ２Ｄ通信機能を有していてもよい。また、本実施の形態では、特に断りがない限り、「基地局ｅＮＢ」にはＲＳＵ（基地局型ＲＳＵ、ユーザ装置型ＲＳＵ）を含む意味で使用する。
【００２６】
ＣＮ装置１０は、基地局ｅＮＢと接続されており、ＭＭＥ（Mobility Management Entity）、ＨＳＳ（Home Subscriber Server)などの信号処理装置である。ＣＮ装置１０は、本実施の形態で説明する動作を実現するための専用サーバであってもよい。ＣＮ装置１０にはＰｒｏＳｅ（Proximity Service）  Ｆｕｎｃｔｉｏｎが実装されていてもよい。
【００２７】
＜同一のＤ２Ｄ用の無線パラメータが適用される領域について＞
従来のＤ２Ｄにおいて、Ｄ２Ｄ用の無線パラメータは、基本的に基地局ｅＮＢ単位（すなわちセル単位）で管理されていた。例えば、Ｄ２Ｄリソースプールに関する情報は報知情報に含まれており、基地局ｅＮＢ単位で任意に設定することができた。また、例えば、ユーザ装置ＵＥに割当てるＤ２Ｄ用の無線リソースは、基地局ｅＮＢ単位で管理されていた。
【００２８】
一方、本実施の形態に係る無線通信システムは、Ｄ２Ｄ用の無線パラメータを、セル単位よりも無線パラメータ設定に適した広さの領域単位で管理することで、Ｄ２Ｄ用の無線パラメータをユーザ装置ＵＥに効率的に通知することを可能にする。
【００２９】
図７Ａ及び図７Ｂは、Ｄ２Ｄ用の無線パラメータが管理される領域の定義方法を説明するための図である。本実施の形態では、Ｄ２Ｄ用の無線パラメータが管理される領域を、地理的に一意に特定される領域で定義してもよい。具体的には、図７Ａに示すように無線ネットワーク全体を複数（図７Ａの例では＃０〜＃９）の地理的な領域に分割して定義する。各領域の範囲は、それぞれ緯度・経度で特定されるようにしてもよい。また、分割数に制約はない。
【００３０】
また、本実施の形態では、Ｄ２Ｄ用の無線パラメータが管理される領域を、複数のセルで一意に特定される領域で定義してもよい。具体的には、図７Ｂに示すように、無線ネットワーク内に存在するセルを、複数のグループ（図７Ｂの例では＃０〜＃９）に分割して定義する。各領域は、物理セルＩＤを束ねたリストで特定されるようにしてもよい。また、分割数に制約はない。
【００３１】
また、各領域はＴＡ（Tracking Area）と１対１に対応づけられるようにしてもよいし、ＴＡリストと１対１に対応づけられるようにしてもよい。ＴＡは、ＬＴＥにおける位置登録エリアであり、一般的に複数のセルから構成される。ＴＡリストは、ＭＭＥがユーザ装置ＵＥの位置を追跡する単位であり、複数のＴＡが束ねられている。各ＴＡには、ＴＡＩ（Tacking Area Identity）及びＴＡＣ（Tacking Area Code）が付与されているため、各領域をＴＡ又はＴＡリストに対応づけることで、各領域をＴＡＩ又はＴＡＣで一意に特定することが可能になる。
【００３２】
各領域に対してユーザ装置ＵＥの走行状態ごとの無線パラメータを定めてもよい。例えば、走行方向ごとに無線パラメータを設定することで、交差点で交差する車両間（ユーザ装置ＵＥ間）で独立した無線パラメータの設定が可能になる。また、速度、高度、又は走行道路種別ごとに無線パラメータを設定することで、高速道路上と一般道上で独立した無線パラメータの設定が可能になる。
【００３３】
＜Ｄ２Ｄ用無線パラメータ情報のフォーマット例について＞
本実施の形態では、領域ごとに適用されるＤ２Ｄ用の無線パラメータが含まれる情報（以下、「Ｄ２Ｄ用無線パラメータ情報」と呼ぶ）をＣＮ装置１０又は基地局ｅＮＢで生成してユーザ装置ＵＥに通知するようにする。
【００３４】
図８Ａ、図８Ｂ、図８Ｃは、Ｄ２Ｄ用無線パラメータ情報のフォーマット例を説明するための図である。Ｄ２Ｄ用無線パラメータ情報は、図８Ａに示すように、領域を一意に識別するための「領域識別子」と、領域の範囲を示す「領域範囲」と、領域内で適用される１以上の「無線パラメータ」とを含む。
【００３５】
「領域識別子」は、領域を一意に特定できる識別子であればどのような識別子であってもよい。例えば、図７の例で示す＃０〜＃９のように値で示されてもよい。なお、各領域がＴＡに対応付けられる場合、「領域識別子」はＴＡＩ又はＴＡＣであってもよい。各領域がＴＡリストに対応付けられる場合、「領域識別子」はＴＡリストそのものであってもよい。
【００３６】
「領域範囲」は、領域を一意に特定できればどのような情報であってもよい。領域が地理的に一意に特定される領域である場合、領域の右上、左上、右下、左下の４地点を示す緯度及び経度が格納されるようにしてもよい。また、領域が複数のセルで一意に特定される領域である場合、各セルの物理セルＩＤが格納されるようにしてもよい。また、各領域がＴＡ又はＴＡリストに対応付けられる場合、「領域範囲」は省略されてもよい。報知情報にはＴＡＣが含まれているため、ユーザ装置ＵＥは、自身が位置する領域を把握することが可能であるためである。
【００３７】
具体的には後述するが、本実施の形態では、複数の領域に係るＤ２Ｄ用無線パラメータ情報をまとめてユーザ装置ＵＥに通知するようにしてもよい。この場合において、仮に、複数の領域（又は全領域）で共通に適用される無線パラメータが存在する場合、図８Ｂ及び図８Ｃに示すように、複数の領域（又は全領域）に共通に適用される無線パラメータを通知可能なフォーマットを用いるようにしてもよい。例えば、領域＃１及び＃２で共通に設定される無線パラメータがある場合、図８Ｂの「領域識別子リスト」に＃１及び＃２を格納して無線パラメータを通知することで、図８Ａのフォーマットで領域＃１及び＃２ごとに無線パラメータを格納する場合と比較して、データ量を削減することが可能になる。
【００３８】
また、本実施の形態では、Ｄ２Ｄ用無線パラメータ情報に、カバレッジ外に適用されるＤ２Ｄ用の無線パラメータを含めるようにしてもよい。この場合、例えば、「領域識別子」又は「領域範囲」にカバレッジ外を示す識別子等を格納することで、カバレッジ外に適用される無線パラメータであることをユーザ装置ＵＥに認識させるようにしてもよい。
【００３９】
また、本実施の形態では、Ｄ２Ｄ用無線パラメータ情報が有効である期間を示す「有効期間」を含めるようにしてもよい。ユーザ装置ＵＥは、有効期間を超えたＤ２Ｄ用無線パラメータ情報を破棄し、新たな有効期間が設定されたＤ２Ｄ用無線パラメータ情報を基地局ｅＮＢ又はＣＮ装置１０から取得するようにしてもよい。
【００４０】
＜Ｄ２Ｄ用の無線パラメータについて＞
図９は、Ｄ２Ｄ用無線パラメータ情報に含まれる無線パラメータの一例を示す図である。「キャリア周波数、帯域幅」は、領域内においてＤ２Ｄ信号の送受信に用いられるキャリアのキャリア周波数（Carrier Frequency）及び帯域幅（SI(Sidelink)-bandwidth）を示す。なお、本実施の形態におけるユーザ装置ＵＥは、Ｄ２Ｄ信号を送受信する際、従来のＬＴＥと同様にＵＬ（Uplink）のキャリアを用いてＤ２Ｄ信号を送受信することもできる。
【００４１】
「リソースプール構成」は、領域内で適用されるＤ２Ｄリソースプールの構成を示す。「時間／周波数ホッピングパターン」は、領域内でＤ２Ｄ信号を送信する際に適用される時間／周波数ホッピングパターンを示す。「送信電力制御パラメータ」は、領域内でＤ２Ｄ信号を送信する際に適用される送信電力を制御するためのパラメータを示す。当該パラメータは、例えば、具体的な送信電力値でもよいし、所望受信電力「Ｐｏ」及びパスロス推定値の係数「α」でもよい。
【００４２】
「同期信号送信設定」は、同期信号（例えば、ＰＳＳＳ／ＳＳＳＳ）を送信すべき特定の場所を示す情報である。特定の場所とは、トンネルの出入り口周辺など、カバレッジ外（トンネル内）に向けてユーザ装置ＵＥから同期信号を送信しておくのが望ましいような場所である。なお、ユーザ装置ＵＥは、「同期信号送信設定」に関わらず、セル端又はカバレッジ外など、従来のＤ２Ｄの規定に従って同期信号を送信するようにしてもよい。
【００４３】
「同期信号受信設定」は、同期信号（例えば、ＰＳＳＳ／ＳＳＳＳ）をモニタすべき特定の場所を示す情報である。特定の場所とは、例えばトンネル内など、他のユーザ装置ＵＥから送信された同期信号を迅速に補足可能にするため、同期信号が送信される可能性のある無線リソース（特定のサブフレーム又は特定のモニタスペース等）を常にモニタしておくのが望ましいような場所である。
【００４４】
「参照信号構成」は、領域内で送信するＤ２Ｄ信号に含めるべき参照信号（ＤＭ−ＲＳ等）のマッピング構成を示す。
【００４５】
「Ｄ２Ｄ用無線リソース割当て情報」は、領域内でＤ２Ｄ信号を送信する際に用いる無線リソースの割当てを示す情報である。ユーザ装置ＵＥは、Ｄ２Ｄ用無線リソース割当て情報で示される無線リソースを用いてＤ２Ｄ信号を送信する。
【００４６】
「同期リファレンスキャリア・セルＩＤリスト」は、領域内で同期タイミング信号を提供するキャリアおよびセルＩＤのリストである。ユーザ装置ＵＥは、これらのキャリア及びセルで送信される同期タイミング信号をモニタしてＤ２Ｄ信号の送受信のための同期を行う。セルＩＤを提供せず、キャリアのリストのみを通知してもよい。
【００４７】
以上説明したＤ２Ｄ用の無線パラメータは、基地局ｅＮＢ又はＣＮ装置１０から全ユーザ装置ＵＥに対して共通に通知されてもよいし、予め規定されたグループごとに、各グループ内のユーザ装置ＵＥに対して共通に通知されるようにしてもよいし、ユーザ装置ＵＥごとに異なるパラメータが通知されるようにしてもよい。例えば、領域内に存在するユーザ装置ＵＥ間で直交化された無線リソースの割当てが行われる場合、「Ｄ２Ｄ用無線リソース割当て情報」には、ユーザ装置ＵＥごとに異なるパラメータが設定される。
【００４８】
なお、以上説明したＤ２Ｄ用の無線パラメータは一例であり、Ｄ２Ｄ用無線パラメータ情報にはこれらすべての無線パラメータが含まれていなくてもよいし、他の無線パラメータが含まれていてもよい。
【００４９】
＜Ｄ２Ｄ用無線パラメータ情報の通知について＞
続いて、ユーザ装置ＵＥにＤ２Ｄ用無線パラメータ情報を通知する際の処理手順について説明する。
【００５０】
（処理手順（その１））
図１０は、Ｄ２Ｄ用無線パラメータ情報をユーザ装置に通知する際の処理手順（その１）を示すシーケンス図である。
【００５１】
ステップＳ１１で、ＣＮ装置１０は、自身に接続されている基地局ｅＮＢに対して、基地局ｅＮＢから送信すべきＤ２Ｄ用無線パラメータ情報を送信する。なお、ＣＮ装置１０は、Ｄ２Ｄ用無線パラメータ情報を基地局ｅＮＢごとに適宜選択して送信する。
【００５２】
例えば、図７Ａのように領域が定義されている場合、ＣＮ装置１０は、領域＃０に含まれるセルを形成する基地局ｅＮＢには、領域＃０に対応するＤ２Ｄ用無線パラメータ情報を送信し、領域＃１に含まれるセルを形成する基地局ｅＮＢには、領域＃１に対応するＤ２Ｄ用無線パラメータ情報を送信するというように、Ｄ２Ｄ用無線パラメータ情報を適宜選択して送信する。
【００５３】
また、ＣＮ装置１０は、複数の領域に跨るセルを形成する基地局ｅＮＢに対しては、複数の領域の各々に対応するＤ２Ｄ用無線パラメータ情報を送信する。例えば、図７Ａのように領域が定義されている場合、ＣＮ装置１０は、領域＃０と領域＃１との両方に含まれるセルを形成する基地局ｅＮＢには、領域＃０に対応するＤ２Ｄ用無線パラメータ情報と領域＃１に対応するＤ２Ｄ用無線パラメータ情報とを送信する。なお、ＣＮ装置１０からＤ２Ｄ用無線パラメータ情報を基地局ｅＮＢに送信するのではなく、Ｏ＆Ｍ（Operation & Maintenance）等を用いて予め基地局ｅＮＢ内にＤ２Ｄ用無線パラメータ情報を設定してもよい。その場合、ステップＳ１１の処理手順は省略される。
【００５４】
ステップＳ１２で、基地局ｅＮＢは、Ｄ２Ｄ用無線パラメータ情報をユーザ装置ＵＥに送信する。基地局ｅＮＢは、報知情報（ＳＩＢ）又はＭＢＭＳ（Multimedia Broadcast Multicast Service）を用いてＤ２Ｄ用無線パラメータ情報を送信してもよいし、ＲＲＣ信号、レイヤ１又はレイヤ２の制御チャネル等を用いてユーザ装置ＵＥごとに個別にＤ２Ｄ用無線パラメータ情報を送信するようにしてもよい。
【００５５】
なお、複数の領域に跨るセルを形成する基地局ｅＮＢは、複数の領域の各々に対応するＤ２Ｄ用無線パラメータ情報をまとめて送信する。
【００５６】
また、ステップＳ１１の処理手順で、ＣＮ装置１０は、Ｄ２Ｄ用無線パラメータ情報を含むＮＡＳメッセージを基地局ｅＮＢに送信し、ステップＳ１２の処理手順で、基地局ｅＮＢは、ＣＮ装置１０から受信したＮＡＳメッセージをユーザ装置ＵＥに送信（転送）するようにしてもよい。
【００５７】
ステップＳ１３で、ユーザ装置ＵＥは、受信したＤ２Ｄ用無線パラメータ情報から領域識別子、領域範囲、及びＤ２Ｄ用の無線パラメータを抽出し、領域ごとにＤ２Ｄ用の無線パラメータを保持する。また、同一の領域に対応するＤ２Ｄ用の無線パラメータが既にメモリ内に保持されている場合、抽出したＤ２Ｄ用の無線パラメータでメモリ内を更新する。
【００５８】
（処理手順（その２））
図１１は、Ｄ２Ｄ用無線パラメータ情報をユーザ装置に通知する際の処理手順（その２）を示すシーケンス図である。
【００５９】
ステップＳ２１の処理手順は、図１０のステップＳ１１と同一であるため説明は省略する。
【００６０】
ステップＳ２２で、ユーザ装置ＵＥは、Ｄ２Ｄ用無線パラメータ情報を基地局ｅＮＢに要求するため、無線パラメータ要求信号を基地局ｅＮＢに送信する。なお無線パラメータ要求信号には、基地局ｅＮＢからの送信を要求する具体的なＤ２Ｄ用の無線パラメータを示す情報（例えば、「送信電力制御パラメータ」を要求すること等）が含まれてもよい。また、無線パラメータ要求信号には、１以上の「領域識別子」が含まれていてもよい。ユーザ装置ＵＥが高速移動中であり、隣の領域に対応するＤ２Ｄ用無線パラメータ情報を予め取得しておきたい場合等が想定されるためである。
【００６１】
ステップＳ２３で、基地局ｅＮＢは、ユーザ装置ＵＥから要求されたＤ２Ｄ用の無線パラメータを含むＤ２Ｄ用無線パラメータ情報を、ＲＲＣ信号、レイヤ１又はレイヤ２の制御チャネル等を用いてユーザ装置ＵＥに個別に送信する。なお、基地局ｅＮＢは、無線パラメータ要求信号に１以上の「領域識別子」が含まれており、かつ、当該領域識別子に対応するＤ２Ｄ用無線パラメータ情報を保持していない場合、当該領域識別子に対応するＤ２Ｄ用無線パラメータ情報をＣＮ装置１０に問い合わせて取得するようにしてもよい。
【００６２】
ステップＳ２４の処理手順は、図１０のステップＳ１３と同一であるため説明は省略する。
【００６３】
なお、ステップＳ２２の処理手順において、ユーザ装置ＵＥは、無線パラメータ要求信号をＮＡＳメッセージで基地局ｅＮＢに送信し、基地局ｅＮＢは、当該ＮＡＳメッセージをＣＮ装置１０に送信（転送）するようにしてもよい。また、基地局ｅＮＢは、ＣＮ装置１０から受信した、Ｄ２Ｄ用無線パラメータ情報が含まれるＮＡＳメッセージをステップＳ２３の処理手順でユーザ装置ＵＥに送信（転送）するようにしてもよい。
【００６４】
（処理手順（その３））
図１２は、Ｄ２Ｄ用無線パラメータ情報をユーザ装置に通知する際の処理手順（その３）を示すシーケンス図である。処理手順（その３）は、Ｄ２Ｄ用の無線パラメータ（例えば、「Ｄ２Ｄ用無線リソース割当て情報」）を、ユーザ装置ＵＥからの要求に応じて基地局ｅＮＢがダイナミックに割り当てる際に用いられる。
【００６５】
ステップＳ３１で、ＣＮ装置１０は、自身に接続されている基地局ｅＮＢに対して、領域内のユーザ装置ＵＥに割当て可能なＤ２Ｄ用無線パラメータのプールを示す情報を送信する。なお、当該Ｄ２Ｄ用無線パラメータのプールを示す情報をＣＮ装置１０から基地局ｅＮＢに送信するのではなく、Ｏ＆Ｍ（Operation & Maintenance）等を用いて予め基地局ｅＮＢ内に設定しておくようにしてもよい。その場合、ステップＳ３１の処理手順は省略される。
【００６６】
ステップＳ３２で、ユーザ装置ＵＥは、無線パラメータ要求信号を基地局ｅＮＢに送信する。無線パラメータ要求信号には、基地局ｅＮＢからの送信を要求する具体的なＤ２Ｄ用の無線パラメータを示す情報が含まれるようにしてもよいし、更に、領域内においてユーザ装置ＵＥ自身の詳細な現在位置を示す情報（例えば、緯度及び経度など）が含まれるようにしてもよい。
【００６７】
ステップＳ３３で、基地局ｅＮＢは、領域内のユーザ装置ＵＥに割当て可能なＤ２Ｄ用無線パラメータのプールから無線パラメータを選択することで、無線パラメータ要求信号の送信元であるユーザ装置ＵＥに対してＤ２Ｄ用の無線パラメータの割当てを行う。
【００６８】
ステップＳ３４で、基地局ｅＮＢは、割当てたＤ２Ｄ用の無線パラメータを含むＤ２Ｄ用無線パラメータ情報を、ＲＲＣ信号、レイヤ１又はレイヤ２の制御チャネル等を用いてユーザ装置ＵＥに送信する。
【００６９】
ステップＳ３５の処理手順は、図１０のステップＳ１３と同一であるため説明は省略する。
【００７０】
（処理手順（その４））
図１３は、Ｄ２Ｄ用無線パラメータ情報をユーザ装置に通知する際の処理手順（その４）を示すシーケンス図である。処理手順（その４）は、Ｄ２Ｄ用の無線パラメータ（例えば、「Ｄ２Ｄ用無線リソース割当て情報」）を、ユーザ装置ＵＥからの要求に応じてＣＮ装置１０がダイナミックに割り当てる際に用いられる。ＣＮ装置１０がＤ２Ｄ用の無線パラメータをダイナミックに割り当てることで、基地局ｅＮＢを跨る無線パラメータの割当てを実現することが可能になる。
【００７１】
ステップＳ４１で、ユーザ装置ＵＥは、無線パラメータ要求信号を基地局ｅＮＢに送信する。無線パラメータ要求信号には、ユーザ装置ＵＥが位置する領域の領域識別子が含まれる。なお、無線パラメータ要求信号には、領域識別子と共に、ＣＮ装置１０からの送信を要求する具体的なＤ２Ｄ用の無線パラメータを示す情報が含まれるようにしてもよいし、領域内においてユーザ装置ＵＥ自身の詳細な現在位置を示す情報（例えば、緯度及び経度など）が含まれるようにしてもよい。
【００７２】
ステップＳ４２で、基地局ｅＮＢは、ＣＮ装置１０に無線パラメータ要求信号を転送する。
【００７３】
ステップＳ４３で、ＣＮ装置１０は、無線パラメータ要求信号に含まれる領域識別子に基づき、当該領域識別子に対応する領域内のユーザ装置ＵＥに割当て可能なＤ２Ｄ用無線パラメータのプールを選択する。また、当該プールから無線パラメータを選択することで、無線パラメータ要求信号の送信元であるユーザ装置ＵＥに対してＤ２Ｄ用の無線パラメータの割当てを行う。
【００７４】
ステップＳ４４で、ＣＮ装置１０は、割当てたＤ２Ｄ用の無線パラメータを含むＤ２Ｄ用無線パラメータ情報を基地局ｅＮＢに送信する。なお、ＣＮ装置１０は、ＮＡＳメッセージにＤ２Ｄ用無線パラメータ情報を含めて基地局ｅＮＢに送信するようにしてもよい。
【００７５】
ステップＳ４５で、基地局ｅＮＢは、ＣＮ装置１０から受信したＤ２Ｄ用無線パラメータ情報（又はＤ２Ｄ用無線パラメータ情報を含むＮＡＳメッセージ）を、ＲＲＣ信号、レイヤ１又はレイヤ２の制御チャネル等を用いてユーザ装置ＵＥに送信する。
【００７６】
ステップＳ４６の処理手順は、図１０のステップＳ１３と同一であるため説明は省略する。
【００７７】
（処理手順（その５））
図１４は、Ｄ２Ｄ用無線パラメータ情報をユーザ装置に通知する際の処理手順（その５）を示すシーケンス図である。処理手順（その５）は、ユーザ装置ＵＥに通知するＤ２Ｄ用の無線パラメータを、基地局ｅＮＢ間で調整した上でユーザ装置ＵＥに通知する際に用いられる。
【００７８】
ステップＳ５１で、基地局ｅＮＢ１基地局ｅＮＢ２との間で、ユーザ装置ＵＥに通知するＤ２Ｄ用の無線パラメータの調整を行う。なお、基地局ｅＮＢ１と基地局ｅＮＢ２との間で行われる無線パラメータの調整の一例として、例えば、ユーザ装置ＵＥに通知する「送信電力制御パラメータ」を、予め基地局ｅＮＢ間で調整することが想定される。
【００７９】
ステップＳ５２で、基地局ｅＮＢ２は、ステップＳ５１の処理手順で調整されたＤ２Ｄ用の無線パラメータを含むＤ２Ｄ用無線パラメータ情報を、ＲＲＣ信号、レイヤ１又はレイヤ２の制御チャネル等を用いてユーザ装置ＵＥに送信する。なお、調整されたＤ２Ｄ用の無線パラメータが、領域内のユーザ装置ＵＥに対して共通に通知可能なものである場合、基地局ｅＮＢは、報知情報（ＳＩＢ）又はＭＢＭＳを用いて当該Ｄ２Ｄ用無線パラメータ情報を送信してもよい。
【００８０】
＜Ｄ２Ｄ用の無線パラメータの取得及び更新タイミングについて＞
本実施の形態に係るユーザ装置ＵＥは、自身が位置する場所の緯度／経度、ＴＡＣ、又は物理セルＩＤをＧＰＳ又は報知情報等から随時取得することで、自身が位置する領域を一意に特定し、特定した領域に対応するＤ２Ｄ用の無線パラメータを用いてＤ２Ｄ通信を行う。そのため、ユーザ装置ＵＥは、領域を跨って移動した場合で、かつ、移動先の領域に対応するＤ２Ｄ用の無線パラメータを保持していない場合、前述の処理手順（その１〜その５）により、移動先の領域に対応するＤ２Ｄ用無線パラメータ情報を取得するようにしてもよい。
【００８１】
また、ユーザ装置ＵＥは、前回Ｄ２Ｄ用無線パラメータ情報を取得した位置から所定の距離を移動した場合に、前述の処理手順（その１〜その５）によりＤ２Ｄ用無線パラメータ情報を取得するようにしてもよい。また、ユーザ装置ＵＥは、前回Ｄ２Ｄ用無線パラメータ情報を取得してから一定時間経過した場合に、前述の処理手順（その１〜その５）によりＤ２Ｄ用無線パラメータ情報を取得するようにしてもよい。
【００８２】
また、ユーザ装置ＵＥは、カバレッジ外からカバレッジ内に移動したことを検出したタイミングで、前述の処理手順（その１〜その５）によりＤ２Ｄ用無線パラメータ情報を取得するようにしてもよい。また、ユーザ装置ＵＥは、Ｄ２Ｄ信号により送信すべきメッセージのサイズが変化した場合など、トラフィック量の変化が所定の閾値を超えた（又は以下になった）場合に、前述の処理手順（その１〜その５）によりＤ２Ｄ用無線パラメータ情報を取得するようにしてもよい。
【００８３】
また、ユーザ装置ＵＥは、位置登録を行う場合又はハンドオーバーを行う場合に、前述の処理手順（その１〜その５）によりＤ２Ｄ用無線パラメータ情報を取得してもよい。また、ユーザ装置ＵＥは、Ｄ２Ｄ用無線パラメータ情報の有効期間が経過した場合に、前述の処理手順（その１〜その５）によりＤ２Ｄ用無線パラメータ情報を取得して、メモリ内に記憶されているＤ２Ｄ用の無線パラメータを更新するようにしてもよい。
【００８４】
（複数領域のＤ２Ｄ用無線パラメータ情報の通知について）
基地局ｅＮＢ又はＣＮ装置１０は、複数の領域に係るＤ２Ｄ用無線パラメータ情報をまとめてユーザ装置ＵＥに通知するようにしてもよい。例えば、基地局ｅＮＢは、報知情報又はＭＢＭＳにより、基地局ｅＮＢ自身が属する領域に係るＤ２Ｄ用無線パラメータ情報に加えて、周辺の領域に係るＤ２Ｄ用無線パラメータ情報も含めてユーザ装置ＵＥに通知するようにしてもよい。これにより、ユーザ装置ＵＥは、高速で移動する場合に、領域を跨ぐ度にＤ２Ｄ用無線パラメータ情報を取得する必要がなくなり、処理負荷が軽減される。
【００８５】
また、報知情報又はＭＢＭＳにより送信されるＤ２Ｄ用無線パラメータ情報のデータ量が増大するのを避けるため、報知情報又はＭＢＭＳでは、基地局ｅＮＢ自身が属する領域に係るＤ２Ｄ用無線パラメータ情報のみを送信し、基地局ｅＮＢ（又はＣＮ装置１０）は、ユーザ装置から領域識別子を含む無線パラメータ要求信号を受信した場合に限り、領域識別子で示される領域と、当該領域の周辺の領域に係るＤ２Ｄ用無線パラメータ情報を含めてユーザ装置ＵＥに通知するようにしてもよい。
【００８６】
また、ユーザ装置ＵＥは、無線パラメータ要求信号に、領域識別子に加えて、又は領域識別子に代えて、自身の現在位置（緯度、経度）、移動速度及び移動方向などの走行状態（移動状態）を含めて基地局ｅＮＢ又はＣＮ装置１０に送信するようにしてもよい。これにより、例えば図１５Ａに示すように、基地局ｅＮＢ又はＣＮ装置１０は、ユーザ装置ＵＥの移動方向を予測し、予測される移動方向に沿って複数領域（図１５Ａの例では領域＃６〜＃１０）のＤ２Ｄ用無線パラメータ情報をまとめてユーザ装置ＵＥに通知することが可能になる。
【００８７】
また、ユーザ装置ＵＥは、図１５Ｂに示すように、無線パラメータ要求信号を、領域を跨ぐ前（例えば、領域の中心付近など）に基地局ｅＮＢ又はＣＮ装置１０に送信するようにしてもよい。これにより、基地局ｅＮＢ又はＣＮ装置１０は、余裕をもってＤ２Ｄ用無線パラメータ情報を通知することが可能になると共に、ユーザ装置ＵＥは、Ｄ２Ｄ用無線パラメータ情報の取得遅延を回避することが可能になる。
【００８８】
＜Ｄ２Ｄ用の無線パラメータの適用境界について＞
本実施の形態に係るユーザ装置ＵＥは、図１６Ａに示すように、自身が位置する領域に対応するＤ２Ｄ用の無線パラメータを用いてＤ２Ｄ通信を行う。そのため、領域を跨ぐタイミングでＤ２Ｄ信号を送受信している場合、Ｄ２Ｄ信号を送受信している最中にＤ２Ｄ用の無線パラメータを切替えることになる。
【００８９】
そこで、本実施の形態では、図１６Ｂに示すように、領域の境界における特定の範囲においては、適用されるＤ２Ｄ用の無線パラメータの重複を許容するようにしてもよい。具体的には、領域＃０から領域＃１に移動するユーザ装置ＵＥは、当該特定の範囲内では、領域＃０に対応するＤ２Ｄ用の無線パラメータに従ってＤ２Ｄ信号の送受信処理を継続するようにしてもよい。また、領域＃１から領域＃０に移動するユーザ装置ＵＥは、当該特定の範囲内では、領域＃１に対応するＤ２Ｄ用の無線パラメータに従ってＤ２Ｄ信号の送受信処理を継続するようにしてもよい。
【００９０】
また、他の方法として、ユーザ装置ＵＥは、領域を跨いだ場合であっても、所定の時間内に限り、以前の領域に対応するＤ２Ｄ用の無線パラメータに従ってＤ２Ｄ信号の送受信処理を継続するようにしてもよい。
【００９１】
また、他の方法として、ユーザ装置ＵＥは、領域を跨いだ場合であっても、ある単位（１ＭＡＣ  ＰＤＵなど）のデータの送信が完了するまでの間、以前の領域に対応するＤ２Ｄ用の無線パラメータに従ってＤ２Ｄ信号の送信処理を継続するようにしてもよい。
【００９２】
＜ＲＲＣ  ＩＤＬＥのユーザ装置に対する通知方法について＞
本実施の形態では、前述の処理手順（その１〜その５）により、ユーザ装置ＵＥにＤ２Ｄ用無線パラメータ情報を通知する。
【００９３】
ここで、特定のユーザ装置ＵＥ向けのＤ２Ｄ用の無線パラメータを、基地局ｅＮＢ又はＣＮ装置１０から当該特定のユーザ装置ＵＥに通知したいようなケースが想定される。具体例として、例えば、基地局ｅＮＢ又はＣＮ装置１０は、一旦特定のユーザ装置ＵＥに割り当てたＤ２Ｄ用無線リソースを、何かしらの理由で強制的に変更したいようなケースが想定される。この場合において、当該特定のユーザ装置ＵＥのＲＲＣ状態がＩｄｌｅの場合、ＣＮ装置１０は、基地局ｅＮＢにページングを指示することでユーザ装置ＵＥを呼出し、基地局ｅＮＢと当該特定のユーザ装置ＵＥとの間でコネクションを確立させる（ＲＲＣ  Ｃｏｎｎｅｃｔｅｄ状態に遷移させる）必要がある。すなわち、処理手順が複雑になってしまう。
【００９４】
一方、ページングメッセージに特定のユーザ装置ＵＥ向けのＤ２Ｄ用無線パラメータ情報を含めることも考えられるが、ＬＴＥの仕様では、ページングメッセージには少量のデータのみ（具体的には、ＩＭＳＩ又はＳ−ＴＭＳＩのみ）が設定可能であり、Ｄ２Ｄ用無線パラメータ情報を現状のページングメッセージに含めることは困難である。
【００９５】
（Ｄ２Ｄ用無線パラメータ情報の通知方法（その１））
本実施の形態では、ＲＲＣ  Ｉｄｌｅ状態のユーザ装置ＵＥがＤ２Ｄ用無線パラメータ情報を受信することを可能にするために、ユーザ装置ＵＥは、ＲＲＣ状態がＩｄｌeであるか否かに関わらず、予め定められた無線リソースをモニタするようにする。また、基地局ｅＮＢは、予め定められた無線リソースを用いて、Ｄ２Ｄ用無線パラメータ情報を特定のユーザ装置ＵＥに通知する。
【００９６】
予め定められた無線リソースは、ユーザ装置ＵＥが在圏しているセルのサブフレームでもよいし、特定のキャリア（モニタ対象として指定されたキャリア）のサブフレームであってもよい。特定のキャリアは、予め基地局ｅＮＢ又はＣＮ装置１０からユーザ装置ＵＥに対して通知されてもよいし、ＵＳＩＭ（Universal Subscriber Identity Module）等に予め設定されていてもよい。
【００９７】
また、予め定められた無線リソースは、無線フレーム番号又は／及びサブフレーム番号を所定の識別子でモジュロ演算することで特定可能にしてもよい。所定の識別子とは、ＵＥＩＤ、基地局ｅＮＢ又はＣＮ装置１０から割当てられるテンポラリなＩＤ、ユーザ装置ＵＥの現在位置を示す情報（領域識別子、物理セルＩＤ、ＴＡＩ、ＴＡＣなど）でもよい。
【００９８】
図１７Ａ、図１７Ｂ、図１８Ａ及び図１８Ｂは、ＲＲＣ  ＩＤＬＥのユーザ装置に無線パラメータを通知する方法を説明するための図である。例えば、図１７Ａに示すように、ユーザ装置ＵＥは、予め定められた１又は複数のサブフレームを周期的にモニタするようにして、基地局ｅＮＢは、当該モニタ対象のサブフレームに特定のユーザ装置ＵＥ向けのＤ２Ｄ用無線パラメータ情報を格納するようにしてもよい。
【００９９】
また、図１７Ｂに示すように、ユーザ装置ＵＥは、予め定められたサブフレームを周期的にモニタするようにして、基地局ｅＮＢは、拡張受信領域に特定のユーザ装置ＵＥ向けのＤ２Ｄ用無線パラメータ情報を格納すると共に、当該モニタ対象のサブフレームに、拡張受信領域に関する情報（拡張受信領域の時間及び周波数リソース、拡張受信領域に対応するＤＣＩが含まれるサーチスペース、当該ＤＣＩをＣＲＣマスクする際に用いられるＲＮＴＩなど）を格納するようにしてもよい。図１７Ａの例は、主にＤ２Ｄ用無線パラメータ情報のデータ量が少ない場合に適用可能であり、図１７Ｂの例は、主にＤ２Ｄ用無線パラメータ情報のデータ量が多い場合に適用可能である。
【０１００】
ユーザ装置ＵＥは、モニタ対象の無線リソースにおいて、図１８Ａに示すように、ＤＣＩ（ＳＣＩ）、ＭＡＣヘッダ又はＭＡＣペイロードに特定の識別子が含まれていることを検出した場合に、自身宛のＤ２Ｄ用無線パラメータ情報が当該無線リソースに含まれていると判断してもよい。特定の識別子とは、ＵＥＩＤでもよいし、特定のユーザ装置ＵＥのグループごとに割当てられるグループＩＤ（Group Destination ID）であってもよい。ＤＣＩ（ＳＣＩ）に特定の識別子が含まれている場合、ユーザ装置ＵＥは、レイヤ１の信号処理を行った時点で、自身宛のＤ２Ｄ用無線パラメータ情報が当該無線リソースに含まれていると判断できる。ＭＡＣヘッダに特定の識別子が含まれている場合、ユーザ装置ＵＥは、レイヤ２の信号処理を行った時点で、自身宛のＤ２Ｄ用無線パラメータ情報が当該無線リソースに含まれていると判断できる。ＭＡＣペイロードに特定の識別子が含まれている場合、ユーザ装置ＵＥは、レイヤ３の信号処理を行った時点で、自身宛のＤ２Ｄ用無線パラメータ情報が当該無線リソースに含まれていると判断できる。
【０１０１】
また、ユーザ装置ＵＥは、モニタ対象の無線リソースにおいて、図１８Ｂに示すように、ＤＣＩが特定のＲＮＴＩ（Ｘ−ＲＮＴＩ）でＣＲＣマスクされていることを検出し、更に、ＭＡＣペイロードに自身のＵＥＩＤが含まれていることを検出した場合に、自身宛のＤ２Ｄ用無線パラメータ情報がモニタ対象の無線リソースに含まれていると判断してもよい。特定のＲＮＴＩ（Ｘ−ＲＮＴＩ）とは、例えば、Ｄ２Ｄ用無線パラメータ情報がＰＤＳＣＨ（又はＰＳＳＣＨ）に含まれていることを示す、ユーザ装置ＵＥで共通な固定値であってもよい。
【０１０２】
基地局ｅＮＢは、ＲＲＣ  Ｉｄｌｅのユーザ装置ＵＥにＤ２Ｄ用無線パラメータ情報を送信する場合、Ｄ２Ｄ用無線パラメータ情報に、図９で説明した複数の無線パラメータのうち、特定のパラメータ（ユーザ装置ＵＥに送信したいパラメータ）が含まれるサブセットのパラメータのみを含めて送信するようにしてもよいし、当該特定のパラメータのみをＤ２Ｄ用無線パラメータ情報に含めて送信するようにしてもよい。これにより、シグナリングオーバーヘッドが削減される（シグナリングのデータ量が削減される）。
【０１０３】
（Ｄ２Ｄ用無線パラメータ情報の通知方法（その２））
本実施の形態では、ＲＲＣ  Ｉｄｌｅ状態の移動機に対して、Ｄ２Ｄ用無線パラメータ情報を通知することを可能にするために、ＣＮ装置１０は、特別なフラグを含むページングメッセージの送信を基地局ｅＮＢに指示するようにしてもよい。ユーザ装置ＵＥは、ページングメッセージ内に特別なフラグが含まれている場合、ＲＲＣ接続及びＮＡＳ接続を行わずに基地局ｅＮＢからＤ２Ｄ用無線パラメータ情報を受信するように動作する。
【０１０４】
ページングメッセージで特別なフラグを通知する際、ページングメッセージ自体（すなわち、ＭＡＣペイロード）に特別なフラグを含めてもよいし、ページングメッセージのＭＡＣヘッダに特別なフラグを含めてもよいし、ＤＣＩに特別なフラグを含めてもよい。また、特別なフラグが含まれるＤＣＩは、特定のＲＮＴＩでＣＲＣマスクされていてもよい。また、Ｄ２Ｄ用無線パラメータ情報を通知するために用いるページングメッセージを、通常のページングメッセージとは異なる無線リソースで送信することで、Ｄ２Ｄ用無線パラメータ情報を通知するためのページングメッセージであることを、ユーザ装置ＵＥに暗示的に通知してもよい。
【０１０５】
また、他の例として、ページングメッセージ内に一定時間有効なＲＮＴＩを含めておき、一定時間内のサブフレームにＤ２Ｄ用無線パラメータ情報を含めると共に当該ＲＮＴＩでＤＣＩのＣＲＣマスクを行うようにしてもよい。また、ページングメッセージ内に、ＲＮＴＩが有効である時間、又はＤ２Ｄ用無線パラメータ情報が含まれるサブフレーム番号を含めるようにしてもよい。
【０１０６】
なお、ＬＴＥの仕様では、ページングメッセージには少量のデータのみしか設定することができないが、ページングメッセージに設定可能なデータサイズを拡大し、ページングメッセージそのものにＤ２Ｄ用無線パラメータ情報を含めるようにしてもよい。
【０１０７】
＜Ｄ２Ｄ用の無線リソース割当てについて＞
（ユーザ装置自身が利用可能な無線リソースを特定する方法）
本実施の形態では、ユーザ装置ＵＥは、Ｄ２Ｄ用無線パラメータ情報に含まれる「Ｄ２Ｄ用無線リソース割当て情報」で示される無線リソースを用いてＤ２Ｄ信号を送信するようにしたが、これに代えて、Ｄ２Ｄ信号の送信に利用可能な無線リソースをユーザ装置ＵＥ自身で特定できるようにしてもよい。
【０１０８】
図１９は、ユーザ装置で無線リソースを特定する方法を説明するための図である。本実施の形態では、図１９に示すように、所定の地理的範囲を、格子状のロケーショングリッドに区切るようにする。所定の地理的範囲は、図７Ａに示す領域と同一でもよいし、複数の領域を含む範囲でもよい。
【０１０９】
本実施の形態では、ロケーショングリッドごとに利用可能な無線リソース（時間リソース、周波数リソース）を予め一意に割当てておくと共に、ロケーショングリッドごとに予め割当てられた無線リソースを示すマップ情報を「Ｄ２Ｄ用無線リソース割当て情報」に含めてユーザ装置ＵＥに通知するようにしてもよい。これにより、ユーザ装置ＵＥは、自身が位置するロケーショングリッドに従って、利用可能な無線リソースを特定することができる。更に、ロケーショングリッドの座標値から、割当てられた無線リソース（時間リソース、周波数リソース）を一意に特定（算出）可能にしてもよい。ロケーショングリッドの座標値から無線リソース（時間リソース、周波数リソース）を特定（算出）するために必要な情報（計算式、計算式に用いられるパラメータ等）を「Ｄ２Ｄ用無線リソース割当て情報」に含めて、基地局ｅＮＢ又はＣＮ装置１０からユーザ装置ＵＥに通知するようにしてもよい。「Ｄ２Ｄ用無線リソース割当て情報」の情報量を削減することができる。
【０１１０】
ここで、直交するリソースは有限であるため、全てのロケーショングリッドにおいて直交する無線リソースを割当てることは困難であり、近傍のロケーショングリッド間で無線リソースが重複し、干渉が発生してしまう可能性がある。
【０１１１】
そこで、例えば、図１９に示すように、複数のロケーショングリッドを束ねたロケーションセットを規定し、ロケーションセット単位で、ロケーショングリッドごとに割当てられた無線リソースが周期的にホッピング（変化）するようにしてもよい。
【０１１２】
まず、各ロケーショングリッドを、Ｎメートル単位で区切られた座標インデックス（ｋ，ｌ）で表す。図１９の例では、左下のロケーショングリッドの座標インデックスは（ｋ＝０，ｌ＝０）である。更に、ロケーションセットを、Ｍ×Ｎメートル単位で区切られた座標インデックス（Ｋ，Ｌ）で表す。図１９の例では、左下のロケーションセットの座標インデックスは（Ｋ＝０，Ｌ＝０）である。
【０１１３】
次に、ロケーションセット内の全ロケーショングリッドの各々に、ロケーショングリッドを一意に識別するためのインデックス値（ｉ）を付与する。インデックス値（ｉ）は、以下の式で表現される。なお、図１９の右図は、以下の式で表現される各ロケーショングリッドに付与されるインデックス値（ｉ）を示している。
【０１１４】
【数１】
2017051740.tif 000003
ロケーショングリッド（ｋ，ｌ）において、所定の時間（ｔ）の無線リソースインデックス（Ｒ）を、以下の式で表す。無線リソースインデックス（Ｒ）は、予め割当てられた無線リソースごとに付与されるインデックスであり、インデックスの値から割当てられた（利用可能な）無線リソースが一意に特定される。つまり、ユーザ装置ＵＥは、以下の式を用いて時間（ｔ）における無線リソースインデックス（Ｒ）の値を求めることで、時間（ｔ）においてＤ２Ｄ信号の送信に利用可能な無線リソースを決定する。
【０１１５】
【数２】
2017051740.tif 000004
Ｍ＝２Ｎ、Ａ＝４とした場合に、各ロケーショングリッドの無線リソースインデックス（Ｒ）が時間の経過と共に変化する様子を図２０Ａ及び図２０Ｂに示す。図２０Ａは、ｔ＝０における無線リソースインデックスを示しており、図２０Ｂは、ｔ＝Ｔにおける無線リソースインデックスを示している。
【０１１６】
図２０Ａにおいて、無線リソースインデックスが「２」であるロケーショングリッドに存在するユーザ装置ＵＥは、同一の無線リソースを用いてＤ２Ｄ信号を送信することになる。すなわち、仮に、これらのロケーショングリッド内に複数のユーザ装置ＵＥが存在する場合、Ｄ２Ｄ信号同士が干渉してしまうことになる。
【０１１７】
一方、Ｔ時間が経過した図２０Ｂでは、各ロケーショングリッドの無線リソースインデックスは、それぞれ異なる値に変化している。すなわち、時間が経過することで、各ロケーショングリッドにおいてＤ２Ｄ信号の送信に利用可能な無線リソースが変化することになる。これにより、近傍のロケーショングリッド間で無線リソースが重複し、干渉が発生してしまう場合であっても、時間ごとに利用可能な無線リソースが変化するため、干渉の影響を抑えることが可能になる。
【０１１８】
なお、以上説明した式による動作を実現するため、基地局ｅＮＢ又はＣＮ１０は、「Ｄ２Ｄ用無線リソース割当て情報」に、無線リソースインデックスごとの無線リソース（時間リソース、周波数リソース）を示す情報、「Ｔ」の値、及び「Ａ」の値を含めてユーザ装置ＵＥに通知してもよい。また、ホッピングパターン算出関数（ｆ）は予めユーザ装置ＵＥで保持していてもよい。
【０１１９】
（基地局又はＣＮが無線リソースを割当てる方法）
本実施の形態では、ユーザ装置ＵＥからの要求があった場合に、基地局ｅＮＢ又はＣＮ装置１０が、Ｄ２Ｄ信号用の無線リソースを割当ててユーザ装置ＵＥに通知するようにしてもよい。さらに、ユーザ装置ＵＥから自身の位置を通知させることで、基地局ｅＮＢ又はＣＮ装置１０は、近傍のユーザ装置ＵＥ間で、Ｄ２Ｄ信号用の無線リソースが直交化されるように無線リソース（またはＤ２Ｄリソースプール）の割当てを行うようにしてもよい。
【０１２０】
図２１は、無線リソースの割当てを行う際の処理手順を説明するためのシーケンス図である。なお、ステップＳ１０１は、図１２のステップＳ３２、又は、図１３のステップＳ４１及びＳ４２に相当する。また、ステップＳ１０２は、図１２のステップＳ３３又は図１３のステップＳ４３に相当する。また、ステップＳ１０３は、図１２のステップＳ３４、又は、図１３のステップＳ４４及びＳ４５に相当する。
【０１２１】
ステップＳ１０１で、ユーザ装置ＵＥは、Ｄ２Ｄ用の無線リソースの割当てを要求する信号を基地局ｅＮＢ又はＣＮ装置１０に送信する。当該信号には、ユーザ装置ＵＥ自身の現在位置が含まれる。なお、ユーザ装置ＵＥの現在位置は緯度及び経度で表現されてもよい。
【０１２２】
ステップＳ１０２で、基地局ｅＮＢ又はＣＮ装置１０は、ユーザ装置ＵＥから通知された位置情報に基づき、近傍のユーザ装置ＵＥ間で、Ｄ２Ｄ信号用の無線リソースが直交化されるように無線リソースの割当てを行う。なお、基地局ｅＮＢ又はＣＮ装置１０は、各ユーザ装置ＵＥに割当てた無線リソースを管理するため、ユーザ装置ＵＥのＵＥＩＤと割当て済みの無線リソースとを対応づけて記憶しておく。
【０１２３】
ステップＳ１０３で、基地局ｅＮＢ又はＣＮ装置１０は、「Ｄ２Ｄ用無線リソース割当て情報」を含むＤ２Ｄ用無線パラメータ情報をユーザ装置ＵＥに送信する。
【０１２４】
以上の処理手順において、ＣＮ装置１０が無線リソースの割当てを行う場合、異なるセル、異なるキャリア、異なるＲＡＴ、及び異なるＰＬＭＮに跨って存在する複数のユーザ装置ＵＥに対して、それぞれ直交化された無線リソースの割当てを実現することが可能である。
【０１２５】
一方、基地局ｅＮＢが無線リソースの割当てを行う場合、基地局ｅＮＢは、ユーザ装置ＵＥのＵＥＩＤと、ユーザ装置ＵＥの位置と、ユーザ装置ＵＥに割当てた無線リソースを示す情報とを対応づけてＣＮ装置１０に登録するようにしてもよい。更に、基地局ｅＮＢは、ユーザ装置ＵＥに無線リソースの割当てを行う場合に、ＣＮ装置１０に対して割当てを行う予定のユーザ装置ＵＥの位置を通知することで当該位置の近傍において割当て済みの無線リソースを照会し、照会結果に基づき、当該位置の近傍において割当てられていない無線リソースを選択するようにしてもよい。これにより、基地局ｅＮＢが無線リソースの割当てを行う場合であっても、異なるセル、異なるキャリア、異なるＲＡＴ、及び異なるＰＬＭＮに跨って存在する複数のユーザ装置ＵＥに対して、それぞれ直交化された無線リソースの割当てを実現することが可能である。
【０１２６】
或いは、基地局ｅＮＢ間でバックホールシグナリングを用いて、割当て済みの無線リソース、当該無線リソースを割当てたユーザ装置ＵＥのＵＥＩＤ及び位置などの情報を交換することで、基地局ｅＮＢが無線リソースの割当てを行う場合に、異なるセルに跨って存在する複数のユーザ装置ＵＥに対して、それぞれ直交化された無線リソースの割当てを実現してもよい。
【０１２７】
また、以上の処理手順において、ユーザ装置ＵＥは、ステップＳ１０１で送信する無線リソース要求に、自身の現在位置に加えて、移動速度及び移動方向などの走行状態（移動状態）を含めるようにしてもよい。これにより、基地局ｅＮＢ又はＣＮ装置１０は、無線リソースの割当てを行う際に、割当てた無線リソースの有効期間を管理するといった最適化処理を行うことが可能になる。また、ステップＳ１０１におけるＤ２Ｄ用の無線リソースの割当てを要求する信号は、Ｄ２Ｄ用（ＰＣ５）のＢＳＲ（Buffer Status Report）であってもよい。
【０１２８】
ここで、ユーザ装置ＵＥが移動することで、割当てられた無線リソースが近傍のユーザ装置ＵＥ間で衝突（重複）してしまう場合が想定される。そこで、本実施の形態では、以下に示す処理手順により、無線リソースの衝突を回避するようにしてもよい。
【０１２９】
図２２は、割当てられた無線リソースの衝突を回避する際の処理手順（その１）を説明するためのシーケンス図である。
【０１３０】
ステップＳ２０１で、基地局ｅＮＢ又はＣＮ装置１０は、「Ｄ２Ｄ用無線リソース割当て情報」を含むＤ２Ｄ用無線パラメータ情報に、ＵＥＩＤリストを含めてユーザ装置ＵＥに送信する。ＵＥＩＤリストは、同一の無線リソースが割当てられているユーザ装置ＵＥのＵＥＩＤを示すリストである。なお、ステップＳ２０１の処理手順は、図２１のステップＳ１０３の処理手順に相当する。
【０１３１】
ステップＳ２０２で、ユーザ装置ＵＥは、ＵＥＩＤリストに含まれるＵＥＩＤのユーザ装置ＵＥがＤ２Ｄ信号を送信していることを検出する。例えば、ユーザ装置ＵＥは、割当てられた無線リソース（サブフレーム）をモニタし、ＭＡＣヘッダ内のＵＥＩＤリストに含まれる送信元情報（ＳＲＣ）に、ＵＥＩＤリスト内のＵＥＩＤが格納されているかを確認するようにしてもよい。ユーザ装置ＵＥは、ＵＥＩＤリストに含まれるＵＥＩＤのユーザ装置ＵＥがＤ２Ｄ信号を送信していることを検出した場合、ステップＳ２０３の処理手順に進む。
【０１３２】
ステップＳ２０３で、ユーザ装置ＵＥは、自身に割当て済みのＤ２Ｄ用の無線リソースの更新を、基地局ｅＮＢ又はＣＮ装置１０に要求する。
【０１３３】
ステップＳ２０４で、基地局ｅＮＢ又はＣＮ装置１０は、ステップＳ２０１の処理手順で通知した無線リソースとは異なる無線リソースを割当てる。
【０１３４】
ステップＳ２０５で、基地局ｅＮＢ又はＣＮ装置１０は、「Ｄ２Ｄ用無線リソース割当て情報」を含むＤ２Ｄ用無線パラメータ情報に、ＵＥＩＤリストを含めてユーザ装置ＵＥに送信する。
【０１３５】
図２３は、割当てられた無線リソースの衝突を回避する際の処理手順（その２）を説明するためのシーケンス図である。
【０１３６】
ステップＳ３０１で、ユーザ装置ＵＥは、ユーザ装置ＵＥ自身の現在位置を示す位置情報を基地局ｅＮＢ又はＣＮ装置１０に送信する。なお、ユーザ装置ＵＥの現在位置は緯度及び経度で表現されてもよい。また、ユーザ装置ＵＥは、所定の周期で自身の現在位置を示す位置情報を基地局ｅＮＢ又はＣＮ装置１０に送信するようにしてもよいし、所定の距離を移動した場合に、自身の現在位置を示す位置情報を基地局ｅＮＢ又はＣＮ装置１０に送信するようにしてもよい。
【０１３７】
ステップＳ３０２で、基地局ｅＮＢ又はＣＮ装置１０は、位置情報通知信号を受信したユーザ装置ＵＥに割当てた無線リソースと、当該ユーザ装置ＵＥの現在位置の近傍に位置する他のユーザ装置ＵＥに割当てた無線リソースとが衝突している（同一である）ことを検出する。
【０１３８】
ステップＳ３０３で、基地局ｅＮＢ又はＣＮ装置１０は、当該ユーザ装置ＵＥの現在位置の近傍に位置するユーザ装置ＵＥに割当てた無線リソースとは衝突していない他の無線リソースを割当てる。
【０１３９】
ステップＳ３０３で、基地局ｅＮＢ又はＣＮ装置１０は、「Ｄ２Ｄ用無線リソース割当て情報」を含むＤ２Ｄ用無線パラメータ情報をユーザ装置ＵＥに送信する。なお、基地局ｅＮＢ又はＣＮ装置１０は、ユーザ装置ＵＥのＲＲＣ状態がＩｄｌｅである場合、「＜ＲＲＣ  ＩＤＬＥのユーザ装置に対する通知方法について＞」で説明した方法を用いて、「Ｄ２Ｄ用無線リソース割当て情報」を含むＤ２Ｄ用無線パラメータ情報をユーザ装置ＵＥに通知するようにしてもよい。
【０１４０】
＜ＲＲＣ  ＩＤＬＥのユーザ装置が行う無線リソース要求方法について＞
以上説明したように、ユーザ装置ＵＥは、Ｄ２Ｄ用無線パラメータ情報を要求する場合、基地局ｅＮＢに無線パラメータ要求信号を送信する。ここで、ユーザ装置ＵＥは、ＲＲＣ  Ｉｄｌｅである場合、一旦ランダムアクセス手順を行うことで、基地局ｅＮＢとの間でＲＲＣコネクション及びＮＡＳベアラを確立させてから無線パラメータ要求信号を送信する必要がある。
【０１４１】
そこで、本実施の形態では、ユーザ装置ＵＥから基地局ｅＮＢにＤ２Ｄ用無線パラメータ情報を要求する場合、以下に示す処理手順により、ユーザ装置ＵＥは、ＲＲＣコネクション及びＮＡＳベアラを確立させずに、又は、ＲＲＣコネクション及びＮＡＳベアラを確立させる処理の一部を省略して、Ｄ２Ｄ用無線パラメータ情報を要求するようにしてもよい。
【０１４２】
（ＲＡ手順を用いた処理手順）
図２４は、従来のＲＡ手順を示す図である。例えば、ステップＳ４０１の処理手順において、ユーザ装置ＵＥは、特別なＲＡプリアンブルを基地局ｅＮＢに送信するようにしてもよい。基地局ｅＮＢは、特別なＲＡプリアンブルを受信した場合、ユーザ装置ＵＥがＤ２Ｄ用無線パラメータ情報を要求していると判断するようにする。
【０１４３】
特別なＲＡプリアンブルとは、予め定められたキャリア周波数で送信されるＲＡプリアンブルでもよいし、予め基地局ｅＮＢからユーザ装置ＵＥに指定された無線リソースで送信されるＲＡプリアンブルでもよいし、特定のプリアンブル系列（グループ）でもよい。また、ＵＥ識別子（ＩＭＳＩ等）を所定の計算式に代入することで算出されるＲＡプリアンブルであってもよい。また、特定のＤ２Ｄリソースプール内で特定のプリアンブル系列で送信されるＲＡプリアンブルであってもよい。
【０１４４】
また、他の例として、ステップＳ４０３の処理手順で送信されるＣｏｎｔｒｏｌ  ｍｅｓｓａｇｅに、Ｄ２Ｄ用無線パラメータ情報を要求することを示す情報を含めるようにしてもよい。基地局ｅＮＢは、Ｃｏｎｔｒｏｌ  ｍｅｓｓａｇｅに当該情報が含まれている場合、ユーザ装置ＵＥがＤ２Ｄ用無線パラメータ情報を要求していると判断するようにする。ユーザ装置ＵＥは、Ｃｏｎｔｒｏｌ  ｍｅｓｓａｇｅに、Ｄ２Ｄ用無線パラメータ情報を要求することを示す情報に加えて、自身の現在位置を示す情報（緯度、経度など）を含めるようにしてもよい。
【０１４５】
基地局ｅＮＢは、ユーザ装置ＵＥがＤ２Ｄ用無線パラメータ情報を要求していると判断した場合、ステップＳ４０４の処理手順で送信されるＲＲＣ  Ｃｏｎｎｅｃｔｉｏｎ  ｓｅｔｕｐ信号に、Ｄ２Ｄ用無線パラメータ情報を含めてユーザ装置ＵＥに送信するようにしてもよいし、ＲＲＣ  Ｃｏｎｎｅｃｔｉｏｎ  ｓｅｔｕｐ  ｃｏｍｐｌｅｔｅ信号を受信した後で、Ｄ２Ｄ用無線パラメータ情報を含むメッセージをユーザ装置ＵＥに送信するようにしてもよい。
【０１４６】
また、ユーザ装置ＵＥは、上述の処理手順を用いてＤ２Ｄ用無線パラメータ情報を基地局ｅＮＢに要求する場合、ＲＡ手順でＮＡＳメッセージ（例えば、Ａｔｔａｃｈ  Ｒｅｑｕｅｓｔ）を送信しないようにする。なお、ユーザ装置ＵＥは、ＮＡＳメッセージを送受信するための無線ベアラの確立を要求しないことを基地局ｅＮＢに明示的に通知してもよいし、特別なシグナリングメッセージを用いて基地局ｅＮＢに暗示的に通知してもよい。また、仮にＮＡＳメッセージを送信する場合であっても、ＵＥ  Ｃａｐａｂｉｌｉｔｙのうち、Ｖ２Ｘに関連するＣａｐａｂｉｌｉｔｙのみをＵＥ  Ｃａｐａｂｉｌｉｔｙ  Ｉｎｆｏｒｍａｔｉｏｎに含めることで、シグナリングメッセージのデータ量を抑制するようにしてもよい。
【０１４７】
また、基地局ｅＮＢは、ステップＳ４０４の処理手順において、ＲＲＣ  Ｃｏｎｎｅｃｔｉｏｎ  ｓｅｔｕｐ信号に含まれるマクロセル向けの無線リソース設定（RadioResourceConfigCommon、RadioResourceConfigDedicated）を簡略化してもよい。また、本実施の形態では、簡略化された無線リソース設定用のＩＥ（Information Element）を新たに定義するようにしてもよい。これにより、シグナリングメッセージのデータ量が抑制されると共に、ユーザ装置ＵＥ個別の無線リソース（ＳＲＳ送信リソースなど）の払い出しを抑制することができる。
【０１４８】
また、ユーザ装置ＵＥは、ステップＳ４０５の処理手順で送信するＲＲＣ  Ｃｏｎｎｅｃｔｉｏｎ  ｓｅｔｕｐ  ｃｏｍｐｌｅｔｅ信号に、ＤｅｄｉｃａｔｅｄＩｎｆｏＮＡＳを含めないようにしてもよいし、ＮＡＳのベアラが存在しないことを示す情報を含めるようにしてもよい。ユーザ装置ＵＥから基地局ｅＮＢに対してＮＡＳ接続が行われないことを明示的に通知することで、基地局ｅＮＢとＣＮ装置１０との間でＮＡＳ接続のための不要な通信が行われることを抑制することができる。
【０１４９】
（Ｄ２Ｄ信号を用いた処理手順）
図２５は、Ｄ２Ｄ信号を用いて無線パラメータ要求を行う際の処理手順を示すシーケンス図である。
【０１５０】
ステップＳ５０１で、ユーザ装置ＵＥは、基地局ｅＮＢに無線パラメータ要求信号をＤ２Ｄ信号（Ｓｉｄｅｌｉｎｋ）で送信する。なお、無線パラメータ要求信号は、予め指定された特別なＤ２Ｄリソースプールでのみ送信が許可されるようにしてもよい。また、当該特別なＤ２Ｄリソースプールは、報知情報によりユーザ装置ＵＥに通知されてもよいし、予めＵＳＩＭ等に設定されていてもよい。
【０１５１】
ユーザ装置ＵＥは、無線パラメータ要求信号に、ユーザ装置ＵＥが応答を希望する基地局ｅＮＢのＩＤ（物理セルＩＤ、Ｄ２Ｄ  ＩＤ等）を含めるようにしてもよい。基地局ｅＮＢは、無線パラメータ要求信号に、自身のＩＤが含まれている場合に限り、Ｄ２Ｄ用無線パラメータ情報をユーザ装置ＵＥに送信するようにする。これにより、Ｄ２Ｄ信号を受信した基地局ｅＮＢが一斉にＤ２Ｄ用無線パラメータ情報を送信してしまうのを避けることができる。
【０１５２】
また、ユーザ装置ＵＥは、無線パラメータ要求信号が含まれるＤ２Ｄ信号のＤＭ−ＲＳ系列に、応答を希望する基地局ｅＮＢのＩＤ又はその一部をマッピングすることで、ＲＳ系列の直交化及び干渉ランダム化を実現してもよい。
【０１５３】
ステップＳ５０２で、基地局ｅＮＢは、Ｄ２Ｄ用無線パラメータ情報をＤＬ（Downlink）で送信する。ＤＬで送信とは、ＰＤＳＣＨを用いてＤ２Ｄ用無線パラメータ情報を送信することを意図している。
【０１５４】
なお、ユーザ装置ＵＥは、ステップＳ５０１の処理手順において、ユーザ装置ＵＥ自身が受信可能なキャリア（又はキャリアのリスト）又はＤＬの無線リソースの候補を無線パラメータ要求信号に含めて基地局ｅＮＢに通知するようにしてもよい。基地局ｅＮＢは、通知されたキャリア又はＤＬの無線リソースを用いてＤ２Ｄ用無線パラメータ情報を送信することが可能になると共に、ユーザ装置ＵＥの能力（UE Capability）又は契約情報に対応したキャリアを用いてＤ２Ｄ用無線パラメータ情報を送信することも可能になる。
【０１５５】
また、基地局ｅＮＢは、ステップＳ５０２の処理手順において、特別なＲＮＴＩを用いて、Ｄ２Ｄ用無線パラメータ情報が含まれるサブフレームのＤＣＩのＣＲＣマスクを行うようにしてもよい。これにより、ユーザ装置ＵＥは、Ｄ２Ｄ用無線パラメータ情報が含まれるサブフレームをモニタする際に、特別なＲＮＴＩを用いてＣＲＣチェックを行うことができ、バッテリー消費の削減が可能になると共に、誤って無関係なデータを受信してしまうのを回避することができる。
【０１５６】
また、基地局ｅＮＢは、ステップＳ５０１における無線パラメータ要求が検出された無線リソースを示すインデックス、及び／又は、無線パラメータ要求を送信したユーザ装置ＵＥのＵＥ識別子を用いて、ステップＳ５０２でＤ２Ｄ用無線パラメータ情報を送信する際の無線リソースを限定してもよい。また、基地局ｅＮＢは、ステップＳ５０２におけるＤ２Ｄ用無線パラメータ情報に、当該無線リソースを示すインデックス及び／又はユーザ装置ＵＥのＵＥ識別子等を含めるようにしてもよい。これにより、ユーザ装置ＵＥは、モニタする無線リソースが限定されることでバッテリー消費の削減が可能になる。また、Ｄ２Ｄ用無線パラメータ情報に、当該無線リソースを示すインデックス及び／又はユーザ装置ＵＥのＵＥ識別子等が含まれることで、ユーザ装置ＵＥは、誤って無関係なデータを受信してしまうのを回避することができる。
【０１５７】
ステップＳ５０３で、基地局ｅＮＢは、Ｄ２Ｄ用無線パラメータ情報を含むＤ２Ｄ信号（Ｓｉｄｅｌｉｎｋ）を送信する。基地局ｅＮＢは、特別なビット列を用いて、Ｄ２Ｄ用無線パラメータ情報を含むＤ２Ｄ信号に係る制御情報（ＳＣＩ）のＣＲＣマスクを行うようにしてもよいし、Ｄ２Ｄ用無線パラメータ情報を制御情報（ＳＣＩ）に含めて送信するようにしてもよいし、Ｄ２Ｄ用無線パラメータ情報を含むＤ２Ｄ信号を特別なＤ２Ｄリソースプールで送信するようにしてもよい。これにより、ユーザ装置ＵＥは、Ｄ２Ｄ信号が、基地局ｅＮＢから送信されたものであることを認識することができ、例えば、優先的に受信処理を行うといった動作を行うことができる。
【０１５８】
また、基地局ｅＮＢは、ステップＳ５０１の処理手順における無線パラメータ要求が検出された無線リソースを示すインデックス、及び／又は、無線パラメータ要求を送信したユーザ装置ＵＥのＵＥ識別子を用いて、ステップＳ５０３の処理手順でＤ２Ｄ用無線パラメータ情報を含むＤ２Ｄ信号を送信する際の無線リソースを限定してもよい。また、基地局ｅＮＢは、ステップＳ５０３の処理手順におけるＤ２Ｄ用無線パラメータ情報に、当該無線リソースを示すインデックス及び／又はユーザ装置ＵＥのＵＥ識別子等を含めるようにしてもよい。これにより、ユーザ装置ＵＥは、モニタする無線リソースが限定されることでバッテリー消費の削減が可能になる。また、Ｄ２Ｄ用無線パラメータ情報に、当該無線リソースを示すインデックス及び／又はユーザ装置ＵＥのＵＥ識別子等が含まれることで、ユーザ装置ＵＥは、誤って無関係なデータを受信してしまうのを回避することができる。
【０１５９】
＜ハードウェア構成＞
（ユーザ装置）
図２６は、実施の形態に係るユーザ装置のハードウェア構成の一例を示す図である。図２６に示すように、ユーザ装置ＵＥは、無線信号に関する処理を行うＲＥ（Radio Equipment）モジュール１０１と、ベースバンド信号処理を行うＢＢ（Base Band）処理モジュール１０２と、上位レイヤ等の処理を行う装置制御モジュール１０３と、ＵＳＩＭカードにアクセスするインタフェースであるＵＳＩＭスロット１０４とを有する。
【０１６０】
ＲＥモジュール１０１は、ＢＢ処理モジュール１０２から受信したデジタルベースバンド信号に対して、Ｄ／Ａ（Digital-to-Analog）変換、変調、周波数変換、及び電力増幅等を行うことでアンテナから送信すべき無線信号を生成する。また、受信した無線信号に対して、周波数変換、Ａ／Ｄ（Analog to Digital）変換、復調等を行うことでデジタルベースバンド信号を生成し、ＢＢ処理モジュール１０２に渡す。
【０１６１】
ＢＢ処理モジュール１０２は、ＩＰパケットとデジタルベースバンド信号とを相互に変換する処理を行う。ＤＳＰ（Digital Signal Processor）１１２は、ＢＢ処理モジュール１０２における信号処理を行うプロセッサである。メモリ１２２は、ＤＳＰ１１２のワークエリアとして使用される。
【０１６２】
装置制御モジュール１０３は、ＩＰレイヤのプロトコル処理、各種アプリケーションの処理等を行う。プロセッサ１１３は、装置制御モジュール１０３が行う処理を行うプロセッサである。メモリ１２３は、プロセッサ１１３のワークエリアとして使用される。また、プロセッサ１１３は、ＵＳＩＭスロット１０４を介してＵＳＩＭとの間でデータの読出し及び書込みを行う。
【０１６３】
（基地局）
図２７は、実施の形態に係る基地局のハードウェア構成の一例を示す図である。図２７に示すように、基地局は、無線信号に関する処理を行うＲＥモジュール２０１と、ベースバンド信号処理を行うＢＢ処理モジュール２０２と、上位レイヤ等の処理を行う装置制御モジュール２０３と、ネットワークと接続するためのインタフェースである通信ＩＦ２０４とを有する。
【０１６４】
ＲＥモジュール２０１は、ＢＢ処理モジュール２０２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール２０２に渡す。
【０１６５】
ＢＢ処理モジュール２０２は、ＩＰパケットとデジタルベースバンド信号とを相互に変換する処理を行う。ＤＳＰ２１２は、ＢＢ処理モジュール２０２における信号処理を行うプロセッサである。メモリ２２２は、ＤＳＰ２１２のワークエリアとして使用される。
【０１６６】
装置制御モジュール２０３は、ＩＰレイヤのプロトコル処理、ＯＡＭ処理等を行う。プロセッサ２１３は、装置制御モジュール２０３が行う処理を行うプロセッサである。メモリ２２３は、プロセッサ２１３のワークエリアとして使用される。補助記憶装置２３３は、例えばＨＤＤ等であり、基地局ｅＮＢ自身が動作するための各種設定情報等が格納される。
【０１６７】
（ＣＮ装置）
図２８は、実施の形態に係るＣＮ装置のハードウェア構成の一例を示す図である。図２８に示すように、ＣＮ装置１０は、ＣＮ装置１０全体の動作を制御するＣＰＵ（Central Processing Unit）３０１、ＣＰＵ３０１のワークエリアとして使用されるメモリ３０２、基地局ｅＮＢ及び他の交換機と通信する通信ＩＦ３０３、ＣＮ装置１０で用いられる各種データ及びＣＮ装置１０が動作するためのプログラムを格納する補助記憶装置３０４、キーボード等の入力装置３０５、及び各種情報を表示する出力装置３０６を有する。
【０１６８】
＜機能構成＞
以上説明した実施の形態の動作を実行するユーザ装置ＵＥ、基地局ｅＮＢ及びＣＮ装置１０の機能構成例を説明する。
【０１６９】
（ユーザ装置）
図２９は、実施の形態に係るユーザ装置の機能構成の一例を示す図である。図２９に示すように、ユーザ装置ＵＥは、信号送信部４０１と、信号受信部４０２と、記憶部４０３と、取得部４０４と、要求部４０５とを有する。なお、図２９は、ユーザ装置ＵＥにおいて本発明の実施の形態に特に関連する機能部のみを示すものであり、少なくともＬＴＥに準拠した動作を行うための図示しない機能も有するものである。また、図２９に示す機能構成は一例に過ぎない。本実施の形態に係る動作を実行できるのであれば、機能区分及び機能部の名称はどのようなものでもよい。
【０１７０】
信号送信部４０１は、ユーザ装置ＵＥから送信されるべき上位のレイヤの信号から、物理レイヤの各種信号を生成し、無線送信する機能を含む。また、信号送信部４０１は、Ｄ２Ｄ信号の送信機能とセルラー通信の送信機能を有する。また、信号送信部４０１は、ユーザ装置ＵＥ自身に割当てられたＤ２Ｄ信号の送信に用いるための無線リソースを用いてＤ２Ｄ信号を送信する。
【０１７１】
信号受信部４０２は、他のユーザ装置ＵＥ又は基地局ｅＮＢから各種の信号を無線受信し、受信した物理レイヤの信号からより上位のレイヤの信号を取得する機能を含む。また、信号受信部４０２は、Ｄ２Ｄ信号の受信機能とセルラー通信の受信機能を有する。
【０１７２】
また、信号送信部４０１及び信号受信部４０２は、ユーザ装置ＵＥ自身が位置する領域に対応するＤ２Ｄ用無線パラメータ情報に含まれる無線パラメータを用いてＤ２Ｄ信号の送信及び受信を行う。
【０１７３】
また、信号送信部４０１及び信号受信部４０２は、Ｄ２Ｄ用の無線パラメータに含まれる、Ｄ２Ｄ信号の送信に用いるための無線リソースを特定するための情報に基づいて無線リソースを特定し、特定した無線リソースを用いてＤ２Ｄ信号を送信するようにしてもよい。
【０１７４】
記憶部４０３は、Ｄ２Ｄ用無線パラメータ情報を格納する。
【０１７５】
取得部４０４は、基地局ｅＮＢ又はＣＮ装置１０からＤ２Ｄ用無線パラメータ情報を取得して記憶部４０３に格納する。また、取得部４０４は、ＲＲＣがＩｄｌｅであるか否かに関わらず、Ｄ２Ｄ用無線パラメータ情報を通知するために用いられる特定のサブフレームをモニタし、特定のサブフレームにユーザ装置ＵＥ自身に割当てられた識別子が含まれていることを検出した場合に、特定のサブフレームに含まれているＤ２Ｄ用無線パラメータ情報を取得するようにしてもよい。
【０１７６】
要求部４０５は、信号送信部４０１を介して基地局ｅＮＢ又はＣＮ装置１０に無線パラメータ要求信号を送信することで、Ｄ２Ｄ用無線パラメータ情報の送信を基地局ｅＮＢ又はＣＮ装置１０に要求する。また、要求部４０５は、Ｄ２Ｄ信号の送信に用いるための無線リソースの割当てを要求する要求信号に、ユーザ装置ＵＥ自身の位置を示す情報を含めて基地局ｅＮＢ又はＣＮ装置１０に送信してもよい。
【０１７７】
また、要求部４０５は、Ｄ２Ｄ用無線リソース割当て情報に、他のユーザ装置ＵＥを示すＩＤが含まれている場合であって、信号受信部４０２で受信されたＤ２Ｄ信号に、他のユーザ装置を示すＩＤが含まれている場合、ユーザ装置ＵＥ自身に割当てられたＤ２Ｄ信号の送信に用いるための無線リソースの変更を要求する要求信号を基地局ｅＮＢ又はＣＮ装置１０に送信するようにしてもよい。
【０１７８】
（基地局）
図３０は、実施の形態に係る基地局の機能構成の一例を示す図である。図３０に示すように、基地局ｅＮＢは、信号送信部５０１と、信号受信部５０２と、管理部５０３と、割当部５０４とを有する。なお、図３０は、基地局ｅＮＢにおいて本発明の実施の形態に特に関連する機能部のみを示すものであり、少なくともＬＴＥに準拠した動作を行うための図示しない機能も有するものである。また、図３０に示す機能構成は一例に過ぎない。本実施の形態に係る動作を実行できるのであれば、機能区分及び機能部の名称はどのようなものでもよい。
【０１７９】
信号送信部５０１は、基地局ｅＮＢから送信されるべき上位のレイヤの信号から、物理レイヤの各種信号を生成し、無線送信する機能を含む。また、信号送信部５０１は、管理部５０３で管理されているＤ２Ｄ用無線パラメータ情報をユーザ装置ＵＥに送信する。また、信号送信部５０１は、Ｄ２Ｄ信号の送信機能を有する。また、信号送信部５０１は、信号受信部５０２でＤ２Ｄ用の無線パラメータを要求することを示すＤ２Ｄ信号が受信された場合に、Ｄ２Ｄ用無線パラメータ情報をユーザ装置に送信するようにしてもよい。
【０１８０】
信号受信部５０２は、ユーザ装置ＵＥから各種の信号を無線受信し、受信した物理レイヤの信号からより上位のレイヤの信号を取得する機能を含む。また、信号受信部５０２は、Ｄ２Ｄ信号の受信機能を有する。
【０１８１】
管理部５０３は、基地局ｅＮＢ自身が属する領域に対応するＤ２Ｄ用の無線パラメータを管理する。なお、管理部５０３は、全ての領域に対応するＤ２Ｄ用の無線パラメータを管理するようにしてもよい。
【０１８２】
また、管理部５０３は、割当部５０４によりユーザ装置ＵＥに割当てられた無線パラメータ（Ｄ２Ｄ用の無線リソースなど）を、ユーザ装置ＵＥの識別子と対応づけて管理するようにしてもよい。また、管理部５０３は、ユーザ装置ＵＥからＤ２Ｄ用の無線パラメータ（Ｄ２Ｄ用の無線リソースなど）の割当てを要求された場合、Ｄ２Ｄ用のパラメータの割当てを行うように割当部５０４に指示してもよいし、ＣＮ装置１０にＤ２Ｄ用のパラメータ（Ｄ２Ｄ用の無線リソースなど）の割当てを要求するようにしてもよい。
【０１８３】
割当部５０４は、管理部５０３の指示により、ユーザ装置ＵＥに対してＤ２Ｄ用の無線パラメータ（Ｄ２Ｄ用の無線リソースなど）の割当てを行う。割当部５０４は、ユーザ装置ＵＥに割当てた無線パラメータを、ユーザ装置ＵＥの識別子と対応づけて管理部５０３に通知するようにしてもよい。また、割当部５０４は、管理部５０３で管理されている無線パラメータのプールから無線パラメータを選択することで、ユーザ装置ＵＥごとに無線パラメータの割当てを行うようにしてもよい。
【０１８４】
（ＣＮ装置）
図３１は、実施の形態に係るＣＮ装置の機能構成の一例を示す図である。図３１に示すように、ＣＮ装置１０は、信号送信部６０１と、信号受信部６０２と、管理部６０３と、割当部６０４とを有する。なお、図３１は、ＣＮ装置１０において本発明の実施の形態に特に関連する機能部のみを示すものであり、少なくともＬＴＥに準拠した動作を行うための図示しない機能も有するものである。また、図３１に示す機能構成は一例に過ぎない。本実施の形態に係る動作を実行できるのであれば、機能区分及び機能部の名称はどのようなものでもよい。
【０１８５】
信号送信部６０１は、ＣＮ装置１０から送信されるべき信号を生成して送信する機能を有する。信号受信部６０２は、基地局ｅＮＢから各種の信号を受信する機能を有する。
【０１８６】
管理部６０３は、全ての領域に対応するＤ２Ｄ用の無線パラメータを管理する。また、管理部６０３は、割当部６０４によりユーザ装置ＵＥに割当てられた無線パラメータ（（Ｄ２Ｄ用の無線リソースなど））を、ユーザ装置ＵＥの識別子と対応づけて管理するようにしてもよい。また、管理部６０３は、ユーザ装置ＵＥからＤ２Ｄ用の無線リソース（Ｄ２Ｄ用の無線リソースなど）の割当てを要求された場合、Ｄ２Ｄ用の無線リソースの割当てを行うように割当部６０４に指示してもよい。
【０１８７】
割当部６０４は、管理部６０３の指示により、ユーザ装置ＵＥに対してＤ２Ｄ用の無線パラメータ（Ｄ２Ｄ用の無線リソースなど）の割当てを行う。割当部６０４は、ユーザ装置ＵＥに割当てた無線パラメータを、ユーザ装置ＵＥの識別子と対応づけて管理部６０３に通知するようにしてもよい。また、割当部６０４は、管理部６０３で管理されている無線パラメータのプールから無線パラメータを選択することで、ユーザ装置ＵＥごとに無線パラメータの割当てを行うようにしてもよい。
【０１８８】
＜まとめ＞
以上、実施の形態によれば、Ｄ２Ｄをサポートする無線通信システムにおけるユーザ装置であって、複数のセルが含まれる所定の領域単位で管理されるＤ２Ｄ用の無線パラメータを含む無線パラメータ情報を基地局から取得する取得部と、前記所定の領域内で、前記Ｄ２Ｄ用の無線パラメータを用いてＤ２Ｄ信号の送受信を行う通信部と、を有するユーザ装置が提供される。このユーザ装置ＵＥにより、Ｄ２Ｄ用の無線パラメータを効率的にユーザ装置に通知することを可能にする技術が提供される。
【０１８９】
また、前記通信部は、前記Ｄ２Ｄ用の無線パラメータに含まれる、Ｄ２Ｄ信号の送信に用いるための無線リソースを特定するための情報に基づいて無線リソースを特定し、特定した無線リソースを用いてＤ２Ｄ信号を送信するようにしてもよい。これにより、ユーザ装置ＵＥが自らＤ２Ｄ信号の送信に利用可能な無線リソースを特定することが可能になる。
【０１９０】
また、Ｄ２Ｄ信号の送信に用いるための無線リソースの割当てを要求する要求信号であって、当該ユーザ装置の位置を示す情報を含む要求信号を前記基地局に送信する要求部、を有し、前記取得部は、前記基地局から、当該ユーザ装置に割当てられたＤ２Ｄ信号の送信に用いるための無線リソースを示す無線リソース割当て情報を取得し、前記通信部は、当該ユーザ装置に割当てられたＤ２Ｄ信号の送信に用いるための無線リソースを用いてＤ２Ｄ信号を送信するようにしてもよい。これにより、基地局ｅＮＢは、ユーザ装置ＵＥの位置に基づいて無線リソースの割当てを行うことが可能になり、例えば、近傍のユーザ装置ＵＥ間では直交された無線リソースを割当てる等の制御を行うことが可能になる。
【０１９１】
また、前記取得部は、前記無線リソース割当て情報と共に、当該ユーザ装置とは異なる他のユーザ装置を示すＩＤを取得し、前記要求部は、前記通信部により受信されたＤ２Ｄ信号に前記他のユーザ装置を示すＩＤが含まれている場合、当該ユーザ装置に割当てられたＤ２Ｄ信号の送信に用いるための無線リソースの変更を要求する要求信号を前記基地局に送信するようにしてもよい。これにより、ユーザ装置ＵＥは、割当てられた無線リソースが近傍のユーザ装置ＵＥ間で衝突したことを検出することが可能になると共に、他の無線リソースの割当てを基地局ｅＮＢに要求することが可能になる。
【０１９２】
また、前記取得部は、ＲＲＣがＩｄｌｅであるか否かに関わらず、前記無線パラメータ情報を通知するために用いられる特定のサブフレームをモニタし、前記特定のサブフレームに当該ユーザ装置に割当てられた識別子が含まれていることを検出した場合に、前記特定のサブフレームに含まれている前記無線パラメータ情報を取得するようにしてもよい。これにより、基地局ｅＮＢは、ユーザ装置ＵＥのＲＲＣ状態に関わらず、Ｄ２Ｄ用無線パラメータ情報をユーザ装置ＵＥに通知することが可能になる。
【０１９３】
また、前記所定の領域は、緯度及び経度で示される領域、又は、トラッキングエリアで示される領域であるようにしてもよい。これにより、本実施の形態に係る無線通信システムは、様々な単位で領域を定義することができる。
【０１９４】
また、実施の形態によれば、Ｄ２Ｄをサポートする無線通信システムにおける基地局であって、複数のセルが含まれる所定の領域単位で管理されるＤ２Ｄ用の無線パラメータを含む無線パラメータ情報を管理する管理部と、前記無線パラメータ情報をユーザ装置に送信する送信部と、を有する基地局が提供される。この基地局ｅＮＢにより、Ｄ２Ｄ用の無線パラメータを効率的にユーザ装置に通知することを可能にする技術が提供される。
【０１９５】
また、Ｄ２Ｄ信号を受信する受信部、を有し、前記送信部は、前記受信部でＤ２Ｄ用の無線パラメータを要求することを示すＤ２Ｄ信号が受信された場合に、前記無線パラメータ情報をユーザ装置に送信するようにしてもよい。これにより、ユーザ装置ＵＥは、ＲＲＣ状態がＩｄｌｅである場合であっても、Ｄ２Ｄ信号を用いることで、Ｄ２Ｄ用無線パラメータ情報の送信を基地局ｅＮＢに要求することが可能になる。
【０１９６】
また、実施の形態によれば、Ｄ２Ｄをサポートする無線通信システムにおけるユーザ装置が行う通信方法であって、複数のセルが含まれる所定の領域単位で管理されるＤ２Ｄ用の無線パラメータを含む無線パラメータ情報を基地局から取得する取得ステップと、前記所定の領域内で、前記Ｄ２Ｄ用の無線パラメータを用いてＤ２Ｄ信号の送受信を行う通信ステップと、を有する通信方法が提供される。この通信方法により、Ｄ２Ｄ用の無線パラメータを効率的にユーザ装置に通知することを可能にする技術が提供される。
【０１９７】
また、実施の形態によれば、Ｄ２Ｄをサポートする無線通信システムにおける基地局が行う通知方法であって、複数のセルが含まれる所定の領域単位で管理されるＤ２Ｄ用の無線パラメータを含む無線パラメータ情報を管理する管理ステップと、前記無線パラメータ情報をユーザ装置に送信する送信ステップと、を有する通知方法が提供される。この通知方法により、Ｄ２Ｄ用の無線パラメータを効率的にユーザ装置に通知することを可能にする技術が提供される。
【０１９８】
＜実施形態の補足＞
方法の請求項は、サンプル的順序で様々なステップの要素を提示しており、請求項の中で明記していない限り、提示した特定の順序に限定されない。
【０１９９】
以上、本発明の実施の形態で説明する各装置（ユーザ装置ＵＥ／基地局ｅＮＢ／ＣＮ装置１０）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０２００】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ／基地局ｅＮＢ／ＣＮ装置１０は機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア、本発明の実施の形態に従って基地局ｅＮＢが有するプロセッサにより動作するソフトウェア及び本発明の実施の形態に従ってＣＮ装置１０が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０２０１】
なお、実施の形態において、信号送信部４０１及び信号受信部４０２は、通信部の一例である。Ｄ２Ｄ用無線パラメータ情報は、無線パラメータ情報の一例である。信号送信部５０１は、送信部の一例である。信号受信部５０２は、受信部の一例である。
【０２０２】
本特許出願は２０１５年９月２４日に出願した日本国特許出願第２０１５−１８７５２１号に基づきその優先権を主張するものであり、日本国特許出願第２０１５−１８７５２１号の全内容を本願に援用する。
【符号の説明】
【０２０３】
ＵＥ  ユーザ装置
ｅＮＢ  基地局
１０  ＣＮ装置
４０１  信号送信部
４０２  信号受信部
４０３  記憶部
４０４  取得部
４０５  要求部
５０１  信号送信部
５０２  信号受信部
５０３  管理部
５０４  割当部
６０１  信号送信部
６０２  信号受信部
６０３  管理部
６０４  割当部
【図１】
2017051740.tif 000005
【図２】
2017051740.tif 000006
【図３Ａ】
2017051740.tif 000007
【図３Ｂ】
2017051740.tif 000008
【図４】
2017051740.tif 000009
【図５】
2017051740.tif 000010
【図６】
2017051740.tif 000011
【図７Ａ】
2017051740.tif 000012
【図７Ｂ】
2017051740.tif 000013
【図８Ａ】
2017051740.tif 000014
【図８Ｂ】
2017051740.tif 000015
【図８Ｃ】
2017051740.tif 000016
【図９】
2017051740.tif 000017
【図１０】
2017051740.tif 000018
【図１１】
2017051740.tif 000019
【図１２】
2017051740.tif 000020
【図１３】
2017051740.tif 000021
【図１４】
2017051740.tif 000022
【図１５Ａ】
2017051740.tif 000023
【図１５Ｂ】
2017051740.tif 000024
【図１６Ａ】
2017051740.tif 000025
【図１６Ｂ】
2017051740.tif 000026
【図１７Ａ】
2017051740.tif 000027
【図１７Ｂ】
2017051740.tif 000028
【図１８Ａ】
2017051740.tif 000029
【図１８Ｂ】
2017051740.tif 000030
【図１９】
2017051740.tif 000031
【図２０Ａ】
2017051740.tif 000032
【図２０Ｂ】
2017051740.tif 000033
【図２１】
2017051740.tif 000034
【図２２】
2017051740.tif 000035
【図２３】
2017051740.tif 000036
【図２４】
2017051740.tif 000037
【図２５】
2017051740.tif 000038
【図２６】
2017051740.tif 000039
【図２７】
2017051740.tif 000040
【図２８】
2017051740.tif 000041
【図２９】
2017051740.tif 000042
【図３０】
2017051740.tif 000043
【図３１】
2017051740.tif 000044
【国際調査報告】
2017051740.tif 000045
2017051740.tif 000046
2017051740.tif 000047